(57)【要約】  本発明は、１つ又はそれ以上の電話呼関連イベントの複数の属性に基づいて１つ又はそれ以上の個別広告を表示するためのシステム、装置、コンピュータ読み取り可能な媒体、及び処理に関する。
2010531077.tif 000002
【特許請求の範囲】
【請求項１】
１つ又はそれ以上の個別広告を表示する処理において、
上記処理は、
（ｉ）クライアント識別子を受信するステップと、
（ｉｉ）データベースを検索して、上記クライアント識別子に関連した電話呼関連イベントの複数の属性を決定する１つ又はそれ以上のパラメータに対応する第１の広告のグループを識別するステップと、
（ｉｉｉ）第２の広告のグループを検索するステップと、
（ｉｖ）第３の広告のグループを遠隔装置に送信するステップとを備え、
上記第２の広告のグループは、上記第１の広告のグループから選択され、
上記第３の広告のグループは、上記第２の広告のグループから選択され、上記遠隔装置は、上記第３の広告のグループから選択された上記１つ又はそれ以上の個別広告を表示する処理。
【請求項２】
上記受信するステップは、クライアント装置から上記クライアント識別子を受信することを含む請求項１記載の処理。
【請求項３】
上記クライアント装置は、ＵＳＢ装置、ＤＥＣＴ電話機、携帯電話機、及びコンピュータのうちの少なくとも１つを備えた請求項２記載の処理。
【請求項４】
上記クライアント装置は、上記遠隔装置を備えた請求項２記載の処理。
【請求項５】
上記遠隔装置は、上記クライアント装置を備えた請求項２記載の処理。
【請求項６】
上記受信するステップは、第１のプロセッサベースの装置から上記クライアント識別子を受信することを含む請求項１記載の処理。
【請求項７】
上記クライアント装置は、上記第１のプロセッサベースの装置を備えた請求項６記載の処理。
【請求項８】
上記遠隔装置は、第２のプロセッサベースの装置を備えた請求項６記載の処理。
【請求項９】
上記受信するステップは、コンピュータから上記クライアント識別子を受信することを含む請求項１記載の処理。
【請求項１０】
上記データベースは、トランザクションサーバに格納される請求項１記載の処理。
【請求項１１】
上記送信するステップは、第３の広告のグループを遠隔装置にクライアント装置を介して送信することを含む請求項１記載の処理。
【請求項１２】
上記遠隔装置は、クライアント装置、ＵＳＢ装置、ＤＥＣＴ電話機、携帯電話機、及びコンピュータのうちの少なくとも１つを備えた請求項１記載の処理。
【請求項１３】
上記遠隔装置は、ビデオ画面及びテレビジョンのうちの少なくとも１つに接続されたセットトップボックスを備えた請求項１記載の処理。
【請求項１４】
上記セットトップボックスは、サテライトボックス及びケーブルボックスのうちの少なくとも１つを備えた請求項１３記載の処理。
【請求項１５】
上記クライアント識別子に関連したロケーション識別情報を取得するステップをさらに備えた請求項１記載の処理。
【請求項１６】
上記ロケーション識別情報は、インターネットプロトコルアドレス、郵便番号、州、市町村、ストリートアドレス、緯度座標及び経度座標、グローバルポジショニングシステム座標、及びある市場特性に基づいてエリアを定める情報のうちの少なくとも１つを備えた請求項１５記載の処理。
【請求項１７】
上記ロケーション識別情報は、上記ロケーション識別情報が取得されたときに上記クライアント装置が位置するロケーションを識別する情報である請求項１６記載の処理。
【請求項１８】
上記ロケーション識別情報は、上記クライアント装置に登録されたロケーション識別情報である請求項１６記載の処理。
【請求項１９】
上記クライアント識別子に関連した人口学的な情報を検索するステップをさらに備えた請求項１記載の処理。
【請求項２０】
上記人口学的な情報は、人の年齢、人の雇用状況、人の性別、人の所得、人の結婚歴、及び人に関連したロケーション識別情報のうちの少なくとも１つを備えた請求項１９記載の処理。
【請求項２１】
データベースを検索して、電話呼関連イベントの複数の属性を決定する１つ又はそれ以上のパラメータと、上記クライアント識別子に関連した人口学的な情報とに対応する第１の広告のグループを識別することをさらに備えた請求項１９記載の処理。
【請求項２２】
上記第２の広告のグループは、上記クライアント識別子に関連した上記人口学的な情報に基づいて、上記第１の広告のグループから選択される請求項１９記載の処理。
【請求項２３】
上記第３の広告のグループは、上記クライアント識別子に関連した上記人口学的な情報に基づいて、上記第２の広告のグループから選択される請求項１９記載の処理。
【請求項２４】
上記１つ又はそれ以上の個別広告は、上記クライアント識別子に関連した上記人口学的な情報に基づいて、上記第３の広告のグループから選択される請求項１９記載の処理。
【請求項２５】
上記電話呼関連イベントは、電話接続の確立、電話番号を連絡先リストに入力すること、電話番号を電話装置に入力すること、及び電話接続の確立を見込んで電話番号を電話装置に入力することのうちの少なくとも１つを備えた請求項１記載の処理。
【請求項２６】
上記クライアント識別子は、顧客識別子、上記クライアント装置に関連したシリアルナンバー、パスワード、顧客の電話番号、インターネットプロトコルアドレス、及び媒体アクセス制御アドレスのうちの少なくとも１つを備えた請求項１記載の処理。
【請求項２７】
上記第１の広告のグループは、上記クライアント識別子に関連した電話呼関連イベントの複数の属性を決定する１つ又はそれ以上のパラメータに対応する上記１つ又はそれ以上の個別広告のすべてを備えた請求項１記載の処理。
【請求項２８】
上記第２の広告のグループは、上記クライアント識別子に関連した電話呼関連イベントの複数の属性を決定する１つ又はそれ以上のパラメータに対応する上記１つ又はそれ以上の個別広告のすべてを備えた請求項１記載の処理。
【請求項２９】
上記第３の広告のグループは、上記クライアント識別子に関連した電話呼関連イベントの複数の属性を決定する１つ又はそれ以上のパラメータに対応する上記１つ又はそれ以上の個別広告のすべてを備えた請求項１記載の処理。
【請求項３０】
上記第２の広告のグループは、上記第１の広告のグループと同一の１つ又はそれ以上の個別広告を備えた請求項１記載の処理。
【請求項３１】
上記第３の広告のグループは、上記第２の広告のグループと同一の１つ又はそれ以上の個別広告を備えた請求項１記載の処理。
【請求項３２】
上記第３の広告のグループは、上記第１の広告のグループと同一の１つ又はそれ以上の個別広告を備えた請求項１記載の処理。
【請求項３３】
上記第１の広告のグループは、１つの広告を備えた請求項１記載の処理。
【請求項３４】
上記第２の広告のグループは、１つの広告を備えた請求項１記載の処理。
【請求項３５】
上記第３の広告のグループは、１つの広告を備えた請求項１記載の処理。
【請求項３６】
上記データベースのデータは、メモリに記憶される請求項１記載の処理。
【請求項３７】
上記データベースのデータは、第２のプロセッサベースの装置によってアクセス可能なメモリに記憶される請求項３６記載の処理。
【請求項３８】
上記第１のプロセッサベースの装置は、少なくとも１つの通信ネットワークを介して第２のプロセッサベースの装置に接続される請求項３６記載の処理。
【請求項３９】
上記第１のプロセッサベースの装置は、少なくとも１つのデータネットワークを介して第２のプロセッサベースの装置に接続される請求項３６記載の処理。
【請求項４０】
上記データネットワークは、パケット交換ネットワークである請求項３９記載の処理。
【請求項４１】
上記クライアント識別子が権限を与えられたクライアント識別子であるかを決定するステップをさらに備えた請求項１記載の処理。
【請求項４２】
上記第１のプロセッサベースの装置と上記第２のプロセッサベースの装置との間の通信は、ハイパーテキスト転送プロトコルによるものである請求項３８記載の処理。
【請求項４３】
上記第１のプロセッサベースの装置と上記第２のプロセッサベースの装置との間の通信は、ＴＣＰ／ＩＰプロトコルを用いて実装される請求項３８記載の処理。
【請求項４４】
上記データベースは、リレーショナルデータベースである請求項１記載の処理。
【請求項４５】
上記複数の属性は、顧客に関する専属的ネットワーク情報、市外局番、電話番号、市内局番又は電話局、１つ又はそれ以上のビジネスのカテゴリ、ビジネスの名前、郵便番号、州、市町村、緯度座標及び経度座標、グローバルポジショニングシステム座標、及びある市場特性に基づいてエリアを定める情報のうちの少なくとも１つを備えた請求項１記載の処理。
【請求項４６】
上記市外局番は、ダイアルされた市外局番である請求項４５記載の処理。
【請求項４７】
上記電話番号は、ダイアルされた電話番号である請求項４５記載の処理。
【請求項４８】
上記市内局番又は電話局は、ダイアルされた市内局番である請求項４５記載の処理。
【請求項４９】
（ｖ）上記電話呼関連イベントに関係した情報を第三者にネットワークを介して伝送して、広告の選択を促進するステップをさらに備えた請求項１記載の処理。
【請求項５０】
上記第三者は、ケーブルテレビジョンのプロバイダである請求項４９記載の処理。
【請求項５１】
上記第三者は、衛星テレビジョンのプロバイダである請求項４９記載の処理。
【請求項５２】
上記第三者は、第三者のディスプレイである請求項４９記載の処理。
【請求項５３】
１つ又はそれ以上の個別広告を表示する方法を実行する記憶されたコンピュータ実行可能な命令を有するコンピュータ読み取り可能な媒体において、
上記方法は、
（ｉ）クライアント識別子を受信するステップと、
（ｉｉ）データベースを検索して、上記クライアント識別子に関連した電話呼関連イベントの複数の属性を決定する１つ又はそれ以上のパラメータに対応する第１の広告のグループを識別するステップと、
（ｉｉｉ）第２の広告のグループを検索するステップと、
（ｉｖ）第３の広告のグループを遠隔装置に送信するステップとを備え、
上記第２の広告のグループは、上記第１の広告のグループから選択され、
上記第３の広告のグループは、上記第２の広告のグループから選択され、上記遠隔装置は、上記第３の広告のグループから選択された上記１つ又はそれ以上の個別広告を表示するコンピュータ読み取り可能な媒体。
【請求項５４】
上記受信するステップは、クライアント装置から上記クライアント識別子を受信することを含む請求項５３記載のコンピュータ読み取り可能な媒体。
【請求項５５】
上記クライアント装置は、ＵＳＢ装置、ＤＥＣＴ電話機、携帯電話機、及びコンピュータのうちの少なくとも１つを備えた請求項５４記載のコンピュータ読み取り可能な媒体。
【請求項５６】
上記クライアント装置は、上記遠隔装置を備えた請求項５４記載のコンピュータ読み取り可能な媒体。
【請求項５７】
上記遠隔装置は、上記クライアント装置を備えた請求項５４記載のコンピュータ読み取り可能な媒体。
【請求項５８】
上記受信するステップは、第１のプロセッサベースの装置から上記クライアント識別子を受信することを含む請求項５３記載のコンピュータ読み取り可能な媒体。
【請求項５９】
上記クライアント装置は、上記第１のプロセッサベースの装置を備えた請求項５８記載のコンピュータ読み取り可能な媒体。
【請求項６０】
上記遠隔装置は、第２のプロセッサベースの装置を備えた請求項５８記載のコンピュータ読み取り可能な媒体。
【請求項６１】
上記受信するステップは、コンピュータから上記クライアント識別子を受信することを含む請求項５３記載のコンピュータ読み取り可能な媒体。
【請求項６２】
上記データベースは、トランザクションサーバに格納される請求項５３記載のコンピュータ読み取り可能な媒体。
【請求項６３】
上記送信するステップは、第３の広告のグループを遠隔装置にクライアント装置を介して送信することを含む請求項５３記載のコンピュータ読み取り可能な媒体。
【請求項６４】
上記遠隔装置は、クライアント装置、ＵＳＢ装置、ＤＥＣＴ電話機、携帯電話機、及びコンピュータのうちの少なくとも１つを備えた請求項５３記載のコンピュータ読み取り可能な媒体。
【請求項６５】
上記遠隔装置は、ビデオ画面及びテレビジョンのうちの少なくとも１つに接続されたセットトップボックスを備えた請求項５３記載のコンピュータ読み取り可能な媒体。
【請求項６６】
上記セットトップボックスは、サテライトボックス及びケーブルボックスのうちの少なくとも１つを備えた請求項６５記載のコンピュータ読み取り可能な媒体。
【請求項６７】
上記クライアント識別子に関連したロケーション識別情報を取得するステップをさらに備えた請求項５３記載のコンピュータ読み取り可能な媒体。
【請求項６８】
上記ロケーション識別情報は、インターネットプロトコルアドレス、郵便番号、州、市町村、ストリートアドレス、緯度座標及び経度座標、グローバルポジショニングシステム座標、及びある市場特性に基づいてエリアを定める情報のうちの少なくとも１つを備えた請求項６７記載のコンピュータ読み取り可能な媒体。
【請求項６９】
上記ロケーション識別情報は、上記ロケーション識別情報が取得されたときに上記クライアント装置が位置するロケーションを識別する情報である請求項６８記載のコンピュータ読み取り可能な媒体。
【請求項７０】
上記ロケーション識別情報は、上記クライアント装置に登録されたロケーション識別情報である請求項６８記載のコンピュータ読み取り可能な媒体。
【請求項７１】
上記クライアント識別子に関連した人口学的な情報を検索するステップをさらに備えた請求項５３記載のコンピュータ読み取り可能な媒体。
【請求項７２】
上記人口学的な情報は、人の年齢、人の雇用状況、人の性別、人の所得、人の結婚歴、及び人に関連したロケーション識別情報のうちの少なくとも１つを備えた請求項７１記載のコンピュータ読み取り可能な媒体。
【請求項７３】
データベースを検索して、電話呼関連イベントの複数の属性を決定する１つ又はそれ以上のパラメータと、上記クライアント識別子に関連した人口学的な情報とに対応する第１の広告のグループを識別することをさらに備えた請求項７１記載のコンピュータ読み取り可能な媒体。
【請求項７４】
上記第２の広告のグループは、上記クライアント識別子に関連した上記人口学的な情報に基づいて、上記第１の広告のグループから選択される請求項７１記載のコンピュータ読み取り可能な媒体。
【請求項７５】
上記第３の広告のグループは、上記クライアント識別子に関連した上記人口学的な情報に基づいて、上記第２の広告のグループから選択される請求項７１記載のコンピュータ読み取り可能な媒体。
【請求項７６】
上記１つ又はそれ以上の個別広告は、上記クライアント識別子に関連した上記人口学的な情報に基づいて、上記第３の広告のグループから選択される請求項７１記載のコンピュータ読み取り可能な媒体。
【請求項７７】
上記電話呼関連イベントは、電話接続の確立、電話番号を連絡先リストに入力すること、電話番号を電話装置に入力すること、及び電話接続の確立を見込んで電話番号を電話装置に入力することのうちの少なくとも１つを備えた請求項５３記載のコンピュータ読み取り可能な媒体。
【請求項７８】
上記クライアント識別子は、顧客識別子、上記クライアント装置に関連したシリアルナンバー、パスワード、顧客の電話番号、インターネットプロトコルアドレス、及び媒体アクセス制御アドレスのうちの少なくとも１つを備えた請求項５３記載のコンピュータ読み取り可能な媒体。
【請求項７９】
上記第１の広告のグループは、上記クライアント識別子に関連した電話呼関連イベントの複数の属性を決定する１つ又はそれ以上のパラメータに対応する上記１つ又はそれ以上の個別広告のすべてを備えた請求項５３記載のコンピュータ読み取り可能な媒体。
【請求項８０】
上記第２の広告のグループは、上記クライアント識別子に関連した電話呼関連イベントの複数の属性を決定する１つ又はそれ以上のパラメータに対応する上記１つ又はそれ以上の個別広告のすべてを備えた請求項５３記載のコンピュータ読み取り可能な媒体。
【請求項８１】
上記第３の広告のグループは、上記クライアント識別子に関連した電話呼関連イベントの複数の属性を決定する１つ又はそれ以上のパラメータに対応する上記１つ又はそれ以上の個別広告のすべてを備えた請求項５３記載のコンピュータ読み取り可能な媒体。
【請求項８２】
上記第２の広告のグループは、上記第１の広告のグループと同一の１つ又はそれ以上の個別広告を備えた請求項５３記載のコンピュータ読み取り可能な媒体。
【請求項８３】
上記第３の広告のグループは、上記第２の広告のグループと同一の１つ又はそれ以上の個別広告を備えた請求項５３記載のコンピュータ読み取り可能な媒体。
【請求項８４】
上記第３の広告のグループは、上記第１の広告のグループと同一の１つ又はそれ以上の個別広告を備えた請求項５３記載のコンピュータ読み取り可能な媒体。
【請求項８５】
上記第１の広告のグループは、１つの広告を備えた請求項５３記載のコンピュータ読み取り可能な媒体。
【請求項８６】
上記第２の広告のグループは、１つの広告を備えた請求項５３記載のコンピュータ読み取り可能な媒体。
【請求項８７】
上記第３の広告のグループは、１つの広告を備えた請求項５３記載のコンピュータ読み取り可能な媒体。
【請求項８８】
上記データベースのデータは、メモリに記憶される請求項５３記載のコンピュータ読み取り可能な媒体。
【請求項８９】
上記データベースのデータは、第２のプロセッサベースの装置によってアクセス可能なメモリに記憶される請求項８８記載のコンピュータ読み取り可能な媒体。
【請求項９０】
上記第１のプロセッサベースの装置は、少なくとも１つの通信ネットワークを介して第２のプロセッサベースの装置に接続される請求項８８記載のコンピュータ読み取り可能な媒体。
【請求項９１】
上記第１のプロセッサベースの装置は、少なくとも１つのデータネットワークを介して第２のプロセッサベースの装置に接続される請求項８８記載のコンピュータ読み取り可能な媒体。
【請求項９２】
上記データネットワークは、パケット交換ネットワークである請求項９１記載のコンピュータ読み取り可能な媒体。
【請求項９３】
上記クライアント識別子が権限を与えられたクライアント識別子であるかを決定するステップをさらに備えた請求項５３記載のコンピュータ読み取り可能な媒体。
【請求項９４】
上記第１のプロセッサベースの装置と上記第２のプロセッサベースの装置との間の通信は、ハイパーテキスト転送プロトコルによるものである請求項９０記載のコンピュータ読み取り可能な媒体。
【請求項９５】
上記第１のプロセッサベースの装置と上記第２のプロセッサベースの装置との間の通信は、ＴＣＰ／ＩＰプロトコルを用いて実装される請求項９０記載のコンピュータ読み取り可能な媒体。
【請求項９６】
上記データベースは、リレーショナルデータベースである請求項５３記載のコンピュータ読み取り可能な媒体。
【請求項９７】
上記複数の属性は、顧客に関する専属的ネットワーク情報、市外局番、電話番号、市内局番又は電話局、１つ又はそれ以上のビジネスのカテゴリ、ビジネスの名前、郵便番号、州、市町村、緯度座標及び経度座標、グローバルポジショニングシステム座標、及びある市場特性に基づいてエリアを定める情報のうちの少なくとも１つを備えた請求項５３記載のコンピュータ読み取り可能な媒体。
【請求項９８】
上記市外局番は、ダイアルされた市外局番である請求項９７記載のコンピュータ読み取り可能な媒体。
【請求項９９】
上記電話番号は、ダイアルされた電話番号である請求項９７記載のコンピュータ読み取り可能な媒体。
【請求項１００】
上記市内局番又は電話局は、ダイアルされた市内局番である請求項９７記載のコンピュータ読み取り可能な媒体。
【請求項１０１】
（ｖ）上記電話呼関連イベントに関係した情報を第三者にネットワークを介して伝送して、広告の選択を促進するステップをさらに備えた請求項５３記載のコンピュータ読み取り可能な媒体。
【請求項１０２】
上記第三者は、ケーブルテレビジョンのプロバイダである請求項１０１記載のコンピュータ読み取り可能な媒体。
【請求項１０３】
上記第三者は、衛星テレビジョンのプロバイダである請求項１０１記載のコンピュータ読み取り可能な媒体。
【請求項１０４】
上記第三者は、第三者のディスプレイである請求項１０１記載のコンピュータ読み取り可能な媒体。
【請求項１０５】
１つ又はそれ以上の個別広告を表示する処理において、
上記処理は、
（ｉ）クライアント識別子を受信するステップと、
（ｉｉ）データベースを検索して、上記クライアント識別子に関連した電話呼関連イベントの複数の属性を決定する１つ又はそれ以上のパラメータに対応する１つ又はそれ以上の広告からなるグループを識別するステップと、
（ｉｉｉ）上記データベースから上記１つ又はそれ以上の広告からなるグループを検索するステップと、
（ｉｖ）上記１つ又はそれ以上の広告からなるグループを遠隔装置に送信するステップとを備え、
上記遠隔装置は、上記グループから選択された上記１つ又はそれ以上の個別広告を表示する処理。
【請求項１０６】
上記受信するステップは、クライアント装置から上記クライアント識別子を受信することを含む請求項１０５記載の処理。
【請求項１０７】
上記クライアント装置は、ＵＳＢ装置、ＤＥＣＴ電話機、携帯電話機、及びコンピュータのうちの少なくとも１つを備えた請求項１０６記載の処理。
【請求項１０８】
上記クライアント装置は、上記遠隔装置を備えた請求項１０６記載の処理。
【請求項１０９】
上記遠隔装置は、上記クライアント装置を備えた請求項１０６記載の処理。
【請求項１１０】
上記受信するステップは、第１のプロセッサベースの装置から上記クライアント識別子を受信することを含む請求項１０５記載の処理。
【請求項１１１】
上記クライアント装置は、上記第１のプロセッサベースの装置を備えた請求項１１０記載の処理。
【請求項１１２】
上記遠隔装置は、第２のプロセッサベースの装置を備えた請求項１１０記載の処理。
【請求項１１３】
上記受信するステップは、コンピュータから上記クライアント識別子を受信することを含む請求項１０５記載の処理。
【請求項１１４】
上記データベースは、トランザクションサーバに格納される請求項１０５記載の処理。
【請求項１１５】
上記送信するステップは、上記広告のグループを遠隔装置にクライアント装置を介して送信することを含む請求項１０５記載の処理。
【請求項１１６】
上記遠隔装置は、クライアント装置、ＵＳＢ装置、ＤＥＣＴ電話機、携帯電話機、及びコンピュータのうちの少なくとも１つを備えた請求項１０５記載の処理。
【請求項１１７】
上記遠隔装置は、ビデオ画面及びテレビジョンのうちの少なくとも１つに接続されたセットトップボックスを備えた請求項１０５記載の処理。
【請求項１１８】
上記セットトップボックスは、サテライトボックス及びケーブルボックスのうちの少なくとも１つを備えた請求項１１７記載の処理。
【請求項１１９】
上記クライアント識別子に関連したロケーション識別情報を取得するステップをさらに備えた請求項１０５記載の処理。
【請求項１２０】
上記ロケーション識別情報は、インターネットプロトコルアドレス、郵便番号、州、市町村、ストリートアドレス、緯度座標及び経度座標、グローバルポジショニングシステム座標、及びある市場特性に基づいてエリアを定める情報のうちの少なくとも１つを備えた請求項１１９記載の処理。
【請求項１２１】
上記ロケーション識別情報は、上記ロケーション識別情報が取得されたときに上記クライアント装置が位置するロケーションを識別する情報である請求項１２０記載の処理。
【請求項１２２】
上記ロケーション識別情報は、上記クライアント装置に登録されたロケーション識別情報である請求項１２０記載の処理。
【請求項１２３】
上記クライアント識別子に関連した人口学的な情報を検索するステップをさらに備えた請求項１０５記載の処理。
【請求項１２４】
上記人口学的な情報は、人の年齢、人の雇用状況、人の性別、人の所得、人の結婚歴、及び人に関連したロケーション識別情報のうちの少なくとも１つを備えた請求項１２３記載の処理。
【請求項１２５】
データベースを検索して、電話呼関連イベントの複数の属性を決定する１つ又はそれ以上のパラメータと、上記クライアント識別子に関連した人口学的な情報とに対応する広告のグループを識別することをさらに備えた請求項１２３記載の処理。
【請求項１２６】
上記電話呼関連イベントは、電話接続の確立、電話番号を連絡先リストに入力すること、電話番号を電話装置に入力すること、及び電話接続の確立を見込んで電話番号を電話装置に入力することのうちの少なくとも１つを備えた請求項１０５記載の処理。
【請求項１２７】
上記クライアント識別子は、顧客識別子、上記クライアント装置に関連したシリアルナンバー、パスワード、顧客の電話番号、インターネットプロトコルアドレス、及び媒体アクセス制御アドレスのうちの少なくとも１つを備えた請求項１０５記載の処理。
【請求項１２８】
上記１つ又はそれ以上の広告からなるグループは、上記クライアント識別子に関連した電話呼関連イベントの複数の属性を決定する１つ又はそれ以上のパラメータに対応する上記１つ又はそれ以上の個別広告のすべてを備えた請求項１０５記載の処理。
【請求項１２９】
上記１つ又はそれ以上の広告からなるグループは、１つの広告を備えた請求項１０５記載の処理。
【請求項１３０】
上記データベースのデータは、メモリに記憶される請求項１０５記載の処理。
【請求項１３１】
上記データベースのデータは、第２のプロセッサベースの装置によってアクセス可能なメモリに記憶される請求項１３０記載の処理。
【請求項１３２】
上記第１のプロセッサベースの装置は、少なくとも１つの通信ネットワークを介して第２のプロセッサベースの装置に接続される請求項１３０記載の処理。
【請求項１３３】
上記第１のプロセッサベースの装置は、少なくとも１つのデータネットワークを介して第２のプロセッサベースの装置に接続される請求項１３０記載の処理。
【請求項１３４】
上記データネットワークは、パケット交換ネットワークである請求項１３３記載の処理。
【請求項１３５】
上記クライアント識別子が権限を与えられたクライアント識別子であるかを決定するステップをさらに備えた請求項１０５記載の処理。
【請求項１３６】
上記第１のプロセッサベースの装置と上記第２のプロセッサベースの装置との間の通信は、ハイパーテキスト転送プロトコルによるものである請求項１３２記載の処理。
【請求項１３７】
上記第１のプロセッサベースの装置と上記第２のプロセッサベースの装置との間の通信は、ＴＣＰ／ＩＰプロトコルを用いて実装される請求項１３２記載の処理。
【請求項１３８】
上記データベースは、リレーショナルデータベースである請求項１０５記載の処理。
【請求項１３９】
上記複数の属性は、顧客に関する専属的ネットワーク情報、市外局番、電話番号、市内局番又は電話局、１つ又はそれ以上のビジネスのカテゴリ、ビジネスの名前、郵便番号、州、市町村、緯度座標及び経度座標、グローバルポジショニングシステム座標、及びある市場特性に基づいてエリアを定める情報のうちの少なくとも１つを備えた請求項１０５記載の処理。
【請求項１４０】
上記市外局番は、ダイアルされた市外局番である請求項１３９記載の処理。
【請求項１４１】
上記電話番号は、ダイアルされた電話番号である請求項１３９記載の処理。
【請求項１４２】
上記市内局番又は電話局は、ダイアルされた市内局番である請求項１３９記載の処理。
【請求項１４３】
（ｖ）上記電話呼関連イベントに関係した情報を第三者にネットワークを介して伝送して、広告の選択を促進するステップをさらに備えた請求項１０５記載の処理。
【請求項１４４】
上記第三者は、ケーブルテレビジョンのプロバイダである請求項１４３記載の処理。
【請求項１４５】
上記第三者は、衛星テレビジョンのプロバイダである請求項１４３記載の処理。
【請求項１４６】
上記第三者は、第三者のディスプレイである請求項１４３記載の処理。
【請求項１４７】
１つ又はそれ以上の個別広告を表示する方法を実行する記憶されたコンピュータ実行可能な命令を有するコンピュータ読み取り可能な媒体において、
上記方法は、
（ｉ）クライアント識別子を受信するステップと、
（ｉｉ）データベースを検索して、上記クライアント識別子に関連した電話呼関連イベントの複数の属性を決定する１つ又はそれ以上のパラメータに対応する１つ又はそれ以上の広告からなるグループを識別するステップと、
（ｉｉｉ）上記データベースから上記１つ又はそれ以上の広告からなるグループを検索するステップと、
（ｉｖ）上記１つ又はそれ以上の広告からなるグループを遠隔装置に送信するステップとを備え、
上記遠隔装置は、上記グループから選択された上記１つ又はそれ以上の個別広告を表示するコンピュータ読み取り可能な媒体。
【請求項１４８】
上記受信するステップは、クライアント装置から上記クライアント識別子を受信することを含む請求項１４７記載のコンピュータ読み取り可能な媒体。
【請求項１４９】
上記クライアント装置は、ＵＳＢ装置、ＤＥＣＴ電話機、携帯電話機、及びコンピュータのうちの少なくとも１つを備えた請求項１４８記載のコンピュータ読み取り可能な媒体。
【請求項１５０】
上記クライアント装置は、上記遠隔装置を備えた請求項１４８記載のコンピュータ読み取り可能な媒体。
【請求項１５１】
上記遠隔装置は、上記クライアント装置を備えた請求項１４８記載のコンピュータ読み取り可能な媒体。
【請求項１５２】
上記受信するステップは、第１のプロセッサベースの装置から上記クライアント識別子を受信することを含む請求項１４７記載のコンピュータ読み取り可能な媒体。
【請求項１５３】
上記クライアント装置は、上記第１のプロセッサベースの装置を備えた請求項１５２記載のコンピュータ読み取り可能な媒体。
【請求項１５４】
上記遠隔装置は、第２のプロセッサベースの装置を備えた請求項１５２記載のコンピュータ読み取り可能な媒体。
【請求項１５５】
上記受信するステップは、コンピュータから上記クライアント識別子を受信することを含む請求項１４７記載のコンピュータ読み取り可能な媒体。
【請求項１５６】
上記データベースは、トランザクションサーバに格納される請求項１４７記載のコンピュータ読み取り可能な媒体。
【請求項１５７】
上記送信するステップは、上記広告のグループを遠隔装置にクライアント装置を介して送信することを含む請求項１４７記載のコンピュータ読み取り可能な媒体。
【請求項１５８】
上記遠隔装置は、クライアント装置、ＵＳＢ装置、ＤＥＣＴ電話機、携帯電話機、及びコンピュータのうちの少なくとも１つを備えた請求項１４７記載のコンピュータ読み取り可能な媒体。
【請求項１５９】
上記遠隔装置は、ビデオ画面及びテレビジョンのうちの少なくとも１つに接続されたセットトップボックスを備えた請求項１４７記載のコンピュータ読み取り可能な媒体。
【請求項１６０】
上記セットトップボックスは、サテライトボックス及びケーブルボックスのうちの少なくとも１つを備えた請求項１５９記載のコンピュータ読み取り可能な媒体。
【請求項１６１】
上記クライアント識別子に関連したロケーション識別情報を取得するステップをさらに備えた請求項１４７記載のコンピュータ読み取り可能な媒体。
【請求項１６２】
上記ロケーション識別情報は、インターネットプロトコルアドレス、郵便番号、州、市町村、ストリートアドレス、緯度座標及び経度座標、グローバルポジショニングシステム座標、及びある市場特性に基づいてエリアを定める情報のうちの少なくとも１つを備えた請求項１６１記載のコンピュータ読み取り可能な媒体。
【請求項１６３】
上記ロケーション識別情報は、上記ロケーション識別情報が取得されたときに上記クライアント装置が位置するロケーションを識別する情報である請求項１６２記載のコンピュータ読み取り可能な媒体。
【請求項１６４】
上記ロケーション識別情報は、上記クライアント装置に登録されたロケーション識別情報である請求項１６２記載のコンピュータ読み取り可能な媒体。
【請求項１６５】
上記クライアント識別子に関連した人口学的な情報を検索するステップをさらに備えた請求項１４７記載のコンピュータ読み取り可能な媒体。
【請求項１６６】
上記人口学的な情報は、人の年齢、人の雇用状況、人の性別、人の所得、人の結婚歴、及び人に関連したロケーション識別情報のうちの少なくとも１つを備えた請求項１６５記載のコンピュータ読み取り可能な媒体。
【請求項１６７】
データベースを検索して、電話呼関連イベントの複数の属性を決定する１つ又はそれ以上のパラメータと、上記クライアント識別子に関連した人口学的な情報とに対応する広告のグループを識別することをさらに備えた請求項１６５記載のコンピュータ読み取り可能な媒体。
【請求項１６８】
上記電話呼関連イベントは、電話接続の確立、電話番号を連絡先リストに入力すること、電話番号を電話装置に入力すること、及び電話接続の確立を見込んで電話番号を電話装置に入力することのうちの少なくとも１つを備えた請求項１４７記載のコンピュータ読み取り可能な媒体。
【請求項１６９】
上記クライアント識別子は、顧客識別子、上記クライアント装置に関連したシリアルナンバー、パスワード、顧客の電話番号、インターネットプロトコルアドレス、及び媒体アクセス制御アドレスのうちの少なくとも１つを備えた請求項１４７記載のコンピュータ読み取り可能な媒体。
【請求項１７０】
上記１つ又はそれ以上の広告からなるグループは、上記クライアント識別子に関連した電話呼関連イベントの複数の属性を決定する１つ又はそれ以上のパラメータに対応する上記１つ又はそれ以上の個別広告のすべてを備えた請求項１４７記載のコンピュータ読み取り可能な媒体。
【請求項１７１】
上記１つ又はそれ以上の広告からなるグループは、１つの広告を備えた請求項１４７記載のコンピュータ読み取り可能な媒体。
【請求項１７２】
上記データベースのデータは、メモリに記憶される請求項１４７記載のコンピュータ読み取り可能な媒体。
【請求項１７３】
上記データベースのデータは、第２のプロセッサベースの装置によってアクセス可能なメモリに記憶される請求項１７２記載のコンピュータ読み取り可能な媒体。
【請求項１７４】
上記第１のプロセッサベースの装置は、少なくとも１つの通信ネットワークを介して第２のプロセッサベースの装置に接続される請求項１７２記載のコンピュータ読み取り可能な媒体。
【請求項１７５】
上記第１のプロセッサベースの装置は、少なくとも１つのデータネットワークを介して第２のプロセッサベースの装置に接続される請求項１７２記載のコンピュータ読み取り可能な媒体。
【請求項１７６】
上記データネットワークは、パケット交換ネットワークである請求項１７５記載のコンピュータ読み取り可能な媒体。
【請求項１７７】
上記クライアント識別子が権限を与えられたクライアント識別子であるかを決定するステップをさらに備えた請求項１４７記載のコンピュータ読み取り可能な媒体。
【請求項１７８】
上記第１のプロセッサベースの装置と上記第２のプロセッサベースの装置との間の通信は、ハイパーテキスト転送プロトコルによるものである請求項１７４記載の処理。
【請求項１７９】
上記第１のプロセッサベースの装置と上記第２のプロセッサベースの装置との間の通信は、ＴＣＰ／ＩＰプロトコルを用いて実装される請求項１７４記載のコンピュータ読み取り可能な媒体。
【請求項１８０】
上記データベースは、リレーショナルデータベースである請求項１４７記載のコンピュータ読み取り可能な媒体。
【請求項１８１】
上記複数の属性は、顧客に関する専属的ネットワーク情報、市外局番、電話番号、市内局番又は電話局、１つ又はそれ以上のビジネスのカテゴリ、ビジネスの名前、郵便番号、州、市町村、緯度座標及び経度座標、グローバルポジショニングシステム座標、及びある市場特性に基づいてエリアを定める情報のうちの少なくとも１つを備えた請求項１４７記載のコンピュータ読み取り可能な媒体。
【請求項１８２】
上記市外局番は、ダイアルされた市外局番である請求項１８１記載のコンピュータ読み取り可能な媒体。
【請求項１８３】
上記電話番号は、ダイアルされた電話番号である請求項１８１記載のコンピュータ読み取り可能な媒体。
【請求項１８４】
上記市内局番又は電話局は、ダイアルされた市内局番である請求項１８１記載のコンピュータ読み取り可能な媒体。
【請求項１８５】
（ｖ）上記電話呼関連イベントに関係した情報を第三者にネットワークを介して伝送して、広告の選択を促進するステップをさらに備えた請求項１４７記載のコンピュータ読み取り可能な媒体。
【請求項１８６】
上記第三者は、ケーブルテレビジョンのプロバイダである請求項１８５記載のコンピュータ読み取り可能な媒体。
【請求項１８７】
上記第三者は、衛星テレビジョンのプロバイダである請求項１８５記載のコンピュータ読み取り可能な媒体。
【請求項１８８】
上記第三者は、第三者のディスプレイである請求項１８５記載のコンピュータ読み取り可能な媒体。
【請求項１８９】
１つ又はそれ以上の個別広告を表示する処理において、
上記処理は、
（ｉ）クライアント識別子をサーバに伝送するステップと、
（ｉｉ）少なくとも１つの広告を受信するステップとを備え、
上記少なくとも１つの広告は、上記クライアント識別子に関連した電話呼関連イベントの複数の属性を決定する１つ又はそれ以上のパラメータに対応する処理。
【請求項１９０】
上記伝送するステップは、クライアント装置から上記クライアント識別子を伝送することを含む請求項１８９記載の処理。
【請求項１９１】
上記クライアント装置は、ＵＳＢ装置、ＤＥＣＴ電話機、携帯電話機、及びコンピュータのうちの少なくとも１つを備えた請求項１９０記載の処理。
【請求項１９２】
上記クライアント装置は、上記遠隔装置を備えた請求項１９０記載の処理。
【請求項１９３】
上記遠隔装置は、上記クライアント装置を備えた請求項１９０記載の処理。
【請求項１９４】
上記伝送するステップは、第１のプロセッサベースの装置から上記クライアント識別子を伝送することを含む請求項１８９記載の処理。
【請求項１９５】
上記クライアント装置は、上記第１のプロセッサベースの装置を備えた請求項１９４記載の処理。
【請求項１９６】
上記遠隔装置は、第２のプロセッサベースの装置を備えた請求項１９４記載の処理。
【請求項１９７】
上記伝送するステップは、コンピュータから上記クライアント識別子を伝送することを含む請求項１８９記載の処理。
【請求項１９８】
少なくとも１つの広告を遠隔装置に送信するステップをさらに含んだ請求項１８９記載の処理。
【請求項１９９】
上記遠隔装置は、クライアント装置、ＵＳＢ装置、ＤＥＣＴ電話機、携帯電話機、及びコンピュータのうちの少なくとも１つを備えた請求項１８９記載の処理。
【請求項２００】
上記遠隔装置は、ビデオ画面及びテレビジョンのうちの少なくとも１つに接続されたセットトップボックスを備えた請求項１８９記載の処理。
【請求項２０１】
上記セットトップボックスは、サテライトボックス及びケーブルボックスのうちの少なくとも１つを備えた請求項２００記載の処理。
【請求項２０２】
上記クライアント識別子に関連したロケーション識別情報を送信するステップをさらに含んだ請求項１８９記載の処理。
【請求項２０３】
上記ロケーション識別情報は、インターネットプロトコルアドレス、郵便番号、州、市町村、ストリートアドレス、緯度座標及び経度座標、グローバルポジショニングシステム座標、及びある市場特性に基づいてエリアを定める情報のうちの少なくとも１つを備えた請求項２０２記載の処理。
【請求項２０４】
上記ロケーション識別情報は、上記ロケーション識別情報が送信されたときに上記クライアント装置が位置するロケーションを識別する情報である請求項２０３記載の処理。
【請求項２０５】
上記ロケーション識別情報は、上記クライアント装置に登録されたロケーション識別情報である請求項２０３記載の処理。
【請求項２０６】
上記クライアント識別子に関連した人口学的な情報を送信するステップをさらに含んだ請求項１８９記載の処理。
【請求項２０７】
上記人口学的な情報は、人の年齢、人の雇用状況、人の性別、人の所得、人の結婚歴、及び人に関連したロケーション識別情報のうちの少なくとも１つを備えた請求項２０６記載の処理。
【請求項２０８】
上記電話呼関連イベントは、電話接続の確立、電話番号を連絡先リストに入力すること、電話番号を電話装置に入力すること、及び電話接続の確立を見込んで電話番号を電話装置に入力することのうちの少なくとも１つを備えた請求項１８９記載の処理。
【請求項２０９】
上記クライアント識別子は、顧客識別子、上記クライアント装置に関連したシリアルナンバー、パスワード、顧客の電話番号、インターネットプロトコルアドレス、及び媒体アクセス制御アドレスのうちの少なくとも１つを備えた請求項１８９記載の処理。
【請求項２１０】
上記クライアント識別子が権限を与えられたクライアント識別子であることの通知を取得するステップをさらに含んだ請求項１８９記載の処理。
【請求項２１１】
上記複数の属性は、顧客に関する専属的ネットワーク情報、市外局番、電話番号、市内局番又は電話局、１つ又はそれ以上のビジネスのカテゴリ、ビジネスの名前、郵便番号、州、市町村、緯度座標及び経度座標、グローバルポジショニングシステム座標、及びある市場特性に基づいてエリアを定める情報のうちの少なくとも１つを備えた請求項１８９記載の処理。
【請求項２１２】
上記市外局番は、ダイアルされた市外局番である請求項２１１記載の処理。
【請求項２１３】
上記電話番号は、ダイアルされた電話番号である請求項２１１記載の処理。
【請求項２１４】
上記市内局番又は電話局は、ダイアルされた市内局番である請求項２１１記載の処理。
【請求項２１５】
１つ又はそれ以上の個別広告を表示する方法を実行する記憶されたコンピュータ実行可能な命令を有するコンピュータ読み取り可能な媒体において、
上記方法は、
（ｉ）クライアント識別子をサーバに伝送するステップと、
（ｉｉ）少なくとも１つの広告を受信するステップとを備え、
上記少なくとも１つの広告は、上記クライアント識別子に関連した電話呼関連イベントの複数の属性を決定する１つ又はそれ以上のパラメータに対応するコンピュータ読み取り可能な媒体。
【請求項２１６】
上記伝送するステップは、クライアント装置から上記クライアント識別子を伝送することを含む請求項２１５記載のコンピュータ読み取り可能な媒体。
【請求項２１７】
上記クライアント装置は、ＵＳＢ装置、ＤＥＣＴ電話機、携帯電話機、及びコンピュータのうちの少なくとも１つを備えた請求項２１６記載のコンピュータ読み取り可能な媒体。
【請求項２１８】
上記クライアント装置は、上記遠隔装置を備えた請求項２１６記載のコンピュータ読み取り可能な媒体。
【請求項２１９】
上記遠隔装置は、上記クライアント装置を備えた請求項２１６記載のコンピュータ読み取り可能な媒体。
【請求項２２０】
上記伝送するステップは、第１のプロセッサベースの装置から上記クライアント識別子を伝送することを含む請求項２１５記載のコンピュータ読み取り可能な媒体。
【請求項２２１】
上記クライアント装置は、上記第１のプロセッサベースの装置を備えた請求項２２０記載のコンピュータ読み取り可能な媒体。
【請求項２２２】
上記遠隔装置は、第２のプロセッサベースの装置を備えた請求項２２０記載のコンピュータ読み取り可能な媒体。
【請求項２２３】
上記伝送するステップは、コンピュータから上記クライアント識別子を伝送することを含む請求項２１５記載のコンピュータ読み取り可能な媒体。
【請求項２２４】
少なくとも１つの広告を遠隔装置に送信するステップをさらに含んだ請求項２１５記載のコンピュータ読み取り可能な媒体。
【請求項２２５】
上記遠隔装置は、クライアント装置、ＵＳＢ装置、ＤＥＣＴ電話機、携帯電話機、及びコンピュータのうちの少なくとも１つを備えた請求項２１５記載のコンピュータ読み取り可能な媒体。
【請求項２２６】
上記遠隔装置は、ビデオ画面及びテレビジョンのうちの少なくとも１つに接続されたセットトップボックスを備えた請求項２１５記載のコンピュータ読み取り可能な媒体。
【請求項２２７】
上記セットトップボックスは、サテライトボックス及びケーブルボックスのうちの少なくとも１つを備えた請求項２２６記載のコンピュータ読み取り可能な媒体。
【請求項２２８】
上記クライアント識別子に関連したロケーション識別情報を送信するステップをさらに含んだ請求項２１５記載のコンピュータ読み取り可能な媒体。
【請求項２２９】
上記ロケーション識別情報は、インターネットプロトコルアドレス、郵便番号、州、市町村、ストリートアドレス、緯度座標及び経度座標、グローバルポジショニングシステム座標、及びある市場特性に基づいてエリアを定める情報のうちの少なくとも１つを備えた請求項２２８記載のコンピュータ読み取り可能な媒体。
【請求項２３０】
上記ロケーション識別情報は、上記ロケーション識別情報が送信されたときに上記クライアント装置が位置するロケーションを識別する情報である請求項２２９記載のコンピュータ読み取り可能な媒体。
【請求項２３１】
上記ロケーション識別情報は、上記クライアント装置に登録されたロケーション識別情報である請求項２２９記載のコンピュータ読み取り可能な媒体。
【請求項２３２】
上記クライアント識別子に関連した人口学的な情報を送信するステップをさらに含んだ請求項２１５記載のコンピュータ読み取り可能な媒体。
【請求項２３３】
上記人口学的な情報は、人の年齢、人の雇用状況、人の性別、人の所得、人の結婚歴、及び人に関連したロケーション識別情報のうちの少なくとも１つを備えた請求項２３２記載のコンピュータ読み取り可能な媒体。
【請求項２３４】
上記電話呼関連イベントは、電話接続の確立、電話番号を連絡先リストに入力すること、電話番号を電話装置に入力すること、及び電話接続の確立を見込んで電話番号を電話装置に入力することのうちの少なくとも１つを備えた請求項２１５記載のコンピュータ読み取り可能な媒体。
【請求項２３５】
上記クライアント識別子は、顧客識別子、上記クライアント装置に関連したシリアルナンバー、パスワード、顧客の電話番号、インターネットプロトコルアドレス、及び媒体アクセス制御アドレスのうちの少なくとも１つを備えた請求項２１５記載のコンピュータ読み取り可能な媒体。
【請求項２３６】
上記クライアント識別子が権限を与えられたクライアント識別子であることの通知を取得するステップをさらに含んだ請求項２１５記載のコンピュータ読み取り可能な媒体。
【請求項２３７】
上記複数の属性は、顧客に関する専属的ネットワーク情報、市外局番、電話番号、市内局番又は電話局、１つ又はそれ以上のビジネスのカテゴリ、ビジネスの名前、郵便番号、州、市町村、緯度座標及び経度座標、グローバルポジショニングシステム座標、及びある市場特性に基づいてエリアを定める情報のうちの少なくとも１つを備えた請求項２１５記載のコンピュータ読み取り可能な媒体。
【請求項２３８】
上記市外局番は、ダイアルされた市外局番である請求項２３７記載のコンピュータ読み取り可能な媒体。
【請求項２３９】
上記電話番号は、ダイアルされた電話番号である請求項２３７記載のコンピュータ読み取り可能な媒体。
【請求項２４０】
上記市内局番又は電話局は、ダイアルされた市内局番である請求項２３７記載のコンピュータ読み取り可能な媒体。
【請求項２４１】
表示する１つ又はそれ以上の個別広告を受信することができる第１の装置において、
上記第１の装置は、
クライアント識別子を、上記クライアント識別子に関連した電話呼関連イベントの複数の属性を決定する１つ又はそれ以上のパラメータに対応する複数の広告を識別するサーバに伝送することを制御するように構成されたプロセッサ構成要素を備え、
上記プロセッサ構成要素は、第１の広告のグループを受信し、かつ第２の広告のグループを表示装置に送信し、
上記第２の広告のグループは、上記第１の広告のグループから選択される第１の装置。
【請求項２４２】
複数の広告の貯蔵を含むデータベースと、
メモリを有するプロセッサベースの装置とを備え、
上記メモリは、上記データベースのデータを記憶し、
上記プロセッサベースの装置は、
上記データベースの検索を実行して、クライアント識別子に関連した電話呼関連イベントの複数の属性を決定する１つ又はそれ以上のパラメータに対応する第１の広告のグループを識別し、
上記データベースから第２の広告のグループを検索し、
その後、第３の広告のグループを遠隔装置に送信するように構成され、
上記第２の広告のグループは、上記第１の広告のグループから選択され、
上記第３の広告のグループは、上記第２の広告のグループから選択され、上記遠隔装置は、上記第２の広告のグループから選択された上記１つ又はそれ以上の個別広告を表示する１つ又はそれ以上の個別広告を表示するシステム。
【発明の詳細な説明】
【技術分野】
【０００１】
（関連出願の相互参照）
本特許出願は、２００７年５月２４日に提出された米国仮特許出願第６０／９４０，０３６号の特許法第１１９条（ｅ）に基づく利益を主張するものであり、本参照によりそのすべては、本明細書に含まれる。
【０００２】
（発明の分野）
本発明は、１つ又はそれ以上の電話呼関連イベント（電話呼に関連するイベント）の複数の属性に基づいて、１つ又はそれ以上の個別広告を表示するためのシステム、装置、コンピュータ読み取り可能な媒体、及び処理に関する。
【背景技術】
【０００３】
現在、従来の公衆交換電話網（ＰＳＴＮ）に対する様々な代替案が存在する。例えば、現在の電話システムは、電話接続のために、回線交換ネットワークではなく、コンピュータデータ環境で典型的であるパケット交換ネットワークを使用していることがある。ＰＳＴＮの従来回線に用いるプロトコル（circuit-committed protocol）を用いて音声情報を送信するのではなく、パケット交換ネットワークは、インターネットプロトコル（ＩＰ）を用いた音声情報の伝送を促進するボイスオーバーインターネットプロトコル（ＶｏＩＰ）の実装に頼っていることがあり、それによって、音声情報は、デジタル形式で離散した複数のパケットに入れられる。
【０００４】
代替として、セルラーネットワークは、携帯電話機が電波のインタフェース（air interface）を介して近隣のセルラー基地局に接続することを可能にすることによって、電話網への無線アクセスを可能にする。音声通信に加えて、セルラーネットワークはまた、データ通信を可能にする。例えば、携帯電話機は、ショートメッセージサービス（ＳＭＳ）を介して、メッセージを送信しかつ受信することができ、無線セルラーリンクを介して、ウェブページを検索しかつ表示することができる。
【０００５】
デジタルエンハンストコードレステレコミュニケーション（ＤＥＣＴ）システムは、住宅のコードレス電話通信及びビジネスのコードレス電話通信を実装する方法として、短距離用途のために設計される。ＤＥＣＴ端末は、ＧＳＭ基盤に接続されてもよいＤＥＣＴシステムとともに動作することができ、かつＳＩＭローミングに基づいたすべてのローミング方法が適用可能である。
【０００６】
これらはちょうど、従来の電話に対する現在利用可能な代替案のいくつかの例である。これまで以上に、人々は、仕事及び余暇の両方のために移動し、さらに仕事及び余暇の両方のためにコンピュータ上で多くの時間を過ごし、家族及び友人はしばしば遠く離れ、電話をかけることが連絡を保つ重要な手段になる。これらの必要性は、携帯用の、便利な、及びコスト効率の高い新しい遠隔通信技術の出現を促し、かつ従来の固定電話に対する多くの代替案の開発に導いた。
【０００７】
このオプションの増加は、従来の電話会社の間のさらなる競争を伴って、過去数年にわたり、電話のコストを低下させた。全年齢層の消費者は、世界中でビジネスとともに、日常生活の一部として電話に頼っている。セルラーシステムのプロバイダ（提供者）、長距離システムのプロバイダ、及びＶｏＩＰのプロバイダの間の多数の販売促進、及び激しい競争から明らかなように、コストを低く保つことは、消費者にとって重要である。
【発明の概要】
【発明が解決しようとする課題】
【０００８】
任意の種類の電話サービスのほとんどのプロバイダは、サービスのための毎月の定額料金と、長距離通話、超過時間、ネットワークの外側への発呼、ある時間フレームの外側での発呼、及び国際的な発呼などのための追加の料金とを請求する。消費者は、長すぎる会話、間違った時間での発呼、又は間違った場所への発呼を心配しなければならない。さらに、毎月の料金が極めて高いことがある。
【０００９】
したがって、低いコスト又は無料通話（フリーコール）を消費者に提供することができる一方、顧客以外のソースから収益を得る電話サービスの必要性が存在する。
【課題を解決するための手段】
【００１０】
本発明は、１つ又はそれ以上の電話呼関連イベントの複数の属性に基づいて、１つ又はそれ以上の個別広告を表示するためのシステム、装置、コンピュータ読み取り可能な媒体、及び処理に関する。本発明の一実施形態によれば、ＵＳＢ装置であってもよいクライアント装置は、第１のプロセッサベースの装置に接続されてもよい。本発明の例示的な処理によれば、唯一のクライアント識別子は、クライアント装置から受信され、かつデータベースは検索されて、クライアント識別子に関連した１つ又はそれ以上の電話呼関連イベントの複数の属性を決定する１つ又はそれ以上のパラメータに対応する第１の広告のグループを識別する。例示的な処理はまた、第２の広告のグループを検索することを含み、第２の広告のグループは、第１の広告のグループから選択される。例示的な処理はまた、第３の広告のグループを遠隔装置に送信することを含み、第３の広告のグループは、第２の広告のグループから選択される。例示的な処理は、第３の広告のグループから選択された１つ又はそれ以上の個別広告を表示する遠隔装置を含む。
【図面の簡単な説明】
【００１１】
【図１（ａ）】サーバの視点から１つ又はそれ以上の個別広告を表示するための処理を示す。
【図１（ｂ）】サーバの視点から１つ又はそれ以上の個別広告を表示するための処理を示す。
【図２】本発明の実施形態の例を示す。
【図３】本発明のもう１つの実施形態の例を示す。
【図４】本発明のもう１つの実施形態の例を示す。
【図５】本発明の実施形態で使用されてもよい可能なカテゴリのサンプル表を示す。
【図６】図５に示されたカテゴリを明示する可能なパラメータのサンプル表を示す。
【図７（ａ）】呼関連イベントに対する１つのカテゴリのアプリケーションを示す。
【図７（ｂ）】呼関連イベントに対する１つのカテゴリのアプリケーションを示す。
【図８（ａ）】呼関連イベントに対する２つのカテゴリのアプリケーションを示す。
【図８（ｂ）】呼関連イベントに対する２つのカテゴリのアプリケーションを示す。
【図９（ａ）】呼関連イベントに対する３つのカテゴリのアプリケーションを示す。
【図９（ｂ）】呼関連イベントに対する４つのパラメータのアプリケーションを示す。
【図１０】呼関連イベントに対する広告に関連した等式のアプリケーションを示す。
【図１１】呼関連イベントに対する広告に関連した等式のアプリケーションを示す。
【図１２】呼関連イベントに対する広告に関連した等式のアプリケーションを示す。
【図１３】呼関連イベントに対する広告に関連した等式のアプリケーションを示す。
【図１４】呼関連イベントに対する広告に関連した等式のアプリケーションを示す。
【図１５】タグの値を含むサンプル表を示す。
【図１６】本発明の実施形態に係る１つ又はそれ以上の個別広告を表示するための処理を示す。
【図１７】本発明のクライアント装置がその中で使用されてもよいネットワーク環境を示す。
【発明を実施するための形態】
【００１２】
図１（ａ）及び図１（ｂ）は、サーバの視点から１つ又はそれ以上の個別広告を表示するための処理を示す。
【００１３】
処理は、クライアント識別子を受信することを含む１１０。クライアント識別子は、特定の顧客又はクライアント装置を識別する任意の情報、例えば、顧客識別子、クライアント装置のシリアルナンバー、顧客の電話番号、インターネットプロトコルアドレス、又は媒体アクセス制御アドレスであってもよい。パスワードがまた、唯一のクライアント識別子に関連してもよい。好ましい実施形態では、唯一のクライアント識別子は、パスワードに結びつけられても、結びつけられなくてもよいクライアント装置のシリアルナンバーである。
【００１４】
一実施形態では、クライアント識別子は、クライアント装置から受信される。クライアント装置は、単独で又は別の装置と組み合わせて、ソフトフォンのソフトウェアを記憶しかつ実行することができる任意の装置であってもよい。可能なクライアント装置の例は、ＵＳＢ装置、ＤＥＣＴ電話機、携帯電話機、及びコンピュータを含む。好ましい実施形態では、クライアント装置は、ＵＳＢ装置である。
【００１５】
代替の実施形態では、クライアント識別子は、第１のプロセッサベースの装置から受信されてもよい。一実施形態では、クライアント装置は、第１のプロセッサベースの装置を備える。もう１つの実施形態では、クライアント装置は、例えば、コンピュータであってもよい第１のプロセッサベースの装置に接続される。
【００１６】
一実施形態では、処理はさらに、クライアント識別子に関連したロケーション識別情報を取得することを含んでもよい。ロケーション識別情報は、特定の地理的なエリアを伴う特定の顧客又はクライアント装置に関連する任意の情報、例えば、インターネットプロトコルアドレス、郵便番号、州、市町村、ストリートアドレス、緯度座標及び経度座標、グローバルポジショニングシステム座標、又はある市場特性に基づいてエリアを定める情報であってもよい。ロケーション識別情報は、クライアント装置の現在のロケーション、又はクライアント装置の登録に関連したロケーションの情報であってもよい。好ましい実施形態では、ロケーション識別情報は、顧客のロケーションに関連した緯度座標及び経度座標である。さらに別の実施形態では、処理は、人に関連した年齢、雇用状況、性別、所得、結婚歴及び／又はロケーション識別情報などのクライアント識別子に関連した人口学的な情報を、クライアントデータベースから検索することを含む。
【００１７】
処理の次のステップは、データベースを検索して、クライアント識別子に関連した１つ又はそれ以上の電話呼関連イベントの複数の属性を決定する１つ又はそれ以上のパラメータに対応する第１の広告のグループを識別することを含む１２０。属性は、発呼元又は発呼先のロケーション、発呼者又は被呼者の市外局番、発呼者又は被呼者の市内局番又は電話局（phone number exchange）、発呼者又は被呼者の電話番号、発呼した又は着呼した時刻、発呼した又は着呼した日付、及び通話時間などの顧客に関する専属的ネットワーク情報（ＣＰＮＩ）を備えてもよい。属性はまた、本明細書で使用しているように、ＣＰＮＩと同様の情報である顧客に関する専属的ネットワーク情報等価データ（ＣＰＮＩ等価データ）を備えてもよいが、受信されるデータは、必ずしも遠隔通信会社からのものではなく、かつ必ずしも伝送されている電話呼にしたがって生成されたものでもない。
【００１８】
属性はまた、ダイアルする番号又はダイアルされた番号に関連した、ダイアルされたビジネスの１つのカテゴリ又は複数のカテゴリ、ダイアルされたビジネスの名前、郵便番号、市町村、ストリートアドレス、緯度座標及び経度座標、グローバルポジショニングシステム座標、又はある市場特性に基づいてエリアを定める情報などのＣＰＮＩ又はＣＰＮＩ等価データから推定されてもよい情報を備えてもよい。
【００１９】
属性はまた、発呼した及び／又は着呼した電話呼の平均の長さ、電話呼が発呼された及び／又は着呼された曜日及び／又は時刻、電話呼の発信元又は宛先、頻繁にダイアルされるビジネスのカテゴリ、又はＣＰＮＩ及び／又はＣＰＮＩ等価データを編集することから得られる任意の別の情報、及びこれらのデータからの推定などのデータの編集を含んでもよい。
【００２０】
電話呼関連イベントは、電話機を用いることに関連した任意のイベントであってもよい。好ましい実施形態では、電話呼関連イベントは、電話接続を確立することを備える。別の実施形態では、電話呼関連イベントは、電話番号を電話帳又は連絡先リストに入力すること、電話番号を電話装置に入力すること、又は電話接続の確立を見込んで電話番号を電話装置に入力することを含んでもよい。
【００２１】
別の実施形態では、人口学的な情報が検索された場合、処理はさらに、データベースを検索して、１つ又はそれ以上の電話呼関連イベントの複数の属性を決定する複数のパラメータに加え、上記クライアント識別子に関連した人口学的な情報を識別することを備えてもよい。
【００２２】
好ましい実施形態では、データベースは、リレーショナルデータベースである。データベースのデータは、メモリに記憶されてもよい。メモリは、プロセッサベースの装置によってアクセス可能であってもよい。クライアント識別子が第１のプロセッサベースの装置から受信される実施形態では、データベースデータは、第２のプロセッサベースの装置によってアクセス可能なメモリに記憶されてもよい。このような実施形態では、第１のプロセッサベースの装置は、少なくとも１つの通信ネットワークを介して、第２のプロセッサベースの装置に接続されてもよい。もう１つの実施形態では、第１のプロセッサベースの装置は、少なくとも１つのデータネットワークを介して、第２のプロセッサベースの装置に接続されてもよい。データネットワークは、パケット交換ネットワークであってもよい。第１のプロセッサベースの装置と、第２のプロセッサベースの装置との間の通信は、ハイパーテキスト転送プロトコルによるものであってもよい。さらに、上記第１のプロセッサベースの装置と、上記第２のプロセッサベースの装置との間の通信は、ＴＣＰ／ＩＰプロトコルを用いて実装されてもよい。
【００２３】
データベースは、すべての電話呼関連イベントの情報を含む１つの表を含んでもよく、又はデータベースは、それぞれの表が電話呼関連イベントの情報の異なる部分を有する複数の表を含んでもよい。一実施形態では、顧客情報は、クライアント装置又は関連したコンピュータから受信されるとすぐに、又は顧客が１つ又はそれ以上の電話番号をダイアルするときに、クライアントデータベースに入力される。
【００２４】
別の実施形態では、処理は、データベースを検索して、唯一のクライアント識別子に関連した顧客又は装置が、システムを使用する権限を与えられているかを決定することを含む。唯一のクライアント識別子がデータベースで発見されない場合、メッセージがそれを指示したクライアント装置に送信されて、例えば、動作を中止してもよい。
【００２５】
一実施形態では、第１の広告のグループは、すべての個別広告を備える。一実施形態では、第１の広告のグループは、１つの広告を備える。もう１つの実施形態では、第１の広告のグループは、１つより多い広告を備える。
【００２６】
処理は、第２の広告のグループを検索することによって継続し、第２の広告のグループは、第１の広告のグループから選択される１３０。
【００２７】
一実施形態では、第２の広告のグループは、すべての個別広告を備える。一実施形態では、第２の広告のグループは、第１の広告のグループと同一の個別広告を備える。一実施形態では、第２の広告のグループは、第１のグループよりも少ない広告を備えるが、１つより多い広告を備える。もう１つの実施形態では、第２の広告のグループは、１つの広告を備える。
【００２８】
別の実施形態では、人口学的な情報が検索された場合、処理はさらに、クライアント識別子に関連した人口学的な情報に基づいて、第１の広告のグループから第２の広告のグループを選択することを備えてもよい。
【００２９】
処理は、第３の広告のグループを遠隔装置に送信することによって継続し、第３の広告のグループは、第２の広告のグループから選択される１４０。
【００３０】
一実施形態では、第３の広告のグループは、すべての個別広告を備える。一実施形態では、第３の広告のグループは、第２の広告のグループと同一の個別広告を備える。一実施形態では、第３の広告のグループは、第１の広告のグループと同一の個別広告を備える。一実施形態では、第３の広告のグループは、第２のグループよりも少ない広告を備えるが、１つより多い広告を備える。もう１つの実施形態では、第３の広告のグループは、１つの広告を備える。
【００３１】
別の実施形態では、人口学的な情報が検索された場合、処理はさらに、クライアント識別子に関連した人口学的な情報に基づいて、第２の広告のグループから第３の広告のグループを選択することを備えてもよい。
【００３２】
最後に、遠隔装置は、第３の広告のグループから選択された１つ又はそれ以上の個別広告を表示する１５０。一実施形態では、クライアント装置は、遠隔装置である。もう１つの実施形態では、遠隔装置は、クライアント装置を含む。もう１つの実施形態では、遠隔装置は、第２のプロセッサベースの装置を備える。もう１つの実施形態では、第３の広告のグループは、クライアント装置を介して、遠隔装置に送信される。もう１つの実施形態では、遠隔装置は、クライアント装置を備える。クライアント装置は、複数の広告の表示を表示することができる、又は促進することができる任意の装置、例えば、ＵＳＢ装置、ＤＥＣＴ電話機、携帯電話機、モニタを有するコンピュータ、又はテレビジョン又はビデオ画面に接続されたケーブルボックス又はサテライトボックスなどのセットトップボックスであってもよい。
【００３３】
別の実施形態では、人口学的な情報が検索された場合、処理はさらに、クライアント識別子に関連した人口学的な情報に基づいて、第３の広告のグループから１つ又はそれ以上の個別広告を選択することを含んでもよい。
【００３４】
本発明の別の実施形態では、図１（ｂ）に示すように、ステップ１５０の前に又は代わりに、処理は、電話呼関連イベントに関係した情報を第三者にネットワークを介して伝送して、広告の選択を促進する１６０。一実施形態では、第三者は、ケーブルテレビジョンのプロバイダ、又は衛星テレビジョンのプロバイダである。もう１つの実施形態では、１つ又はそれ以上の広告は、第三者のディスプレイに送信される。ネットワークは、パケット交換ネットワークなどの通信ネットワーク又は少なくとも１つのデータネットワークであってもよい。好ましい実施形態では、ネットワークは、パケット交換ネットワークである。
【００３５】
上述したように、本発明は、データベースを検索して、クライアント識別子に関連した１つ又はそれ以上の電話呼関連イベントの複数の属性を決定する１つ又はそれ以上のパラメータに対応する第１の広告のグループを識別することを含む。広告は、いくつかの方法で、特定の電話呼関連イベントの複数の属性に対応してもよい。例として、広告データベースは、広告に関連した広告主が電話呼関連イベントにおいて捜し求める１つ又はそれ以上のカテゴリを含むようにセットアップされてもよい。カテゴリは、電話呼関連イベントのある属性を識別する任意のカテゴリであってもよい。広告主自体、又は発明されたシステムを操作するエンティティは、広告主の望みを満たすために、時間とともにカテゴリを変更してもよく、かつ新しいカテゴリを追加してもよい。本発明の一実施形態では、システムは、広告主が選択することができる事前定義されたカテゴリを有するであろう。本発明の別の実施形態では、広告主は、広告主独自のカテゴリを定義することができてもよい。本発明のさらに別の実施形態では、広告主は、事前定義されたカテゴリと、広告主が自分で定義したカテゴリとの組み合わせを使用してもよい。
【００３６】
カテゴリは、特定の電話呼関連イベントについての情報を含んでもよい（すなわち、国際電話をダイアルした、フランスへの電話番号をダイアルした、午前９時から午後５時の間に任意の電話番号をダイアルした、午後６時から午後８の間に電話に応答した、ピザ宅配サービスに発呼した。）。カテゴリはまた、発呼パターンについての情報を含んでもよい（すなわち、呼の５０％以上を週末に発呼する、呼の９０％以上を州外に発呼する、呼の１０％以下をビジネスに発呼する、５回以上の呼をピザ宅配ビジネスに発呼するなど。）。さらに、カテゴリはまた、クライアント装置に関連した人口学的な情報を含むことができる（すなわち、ユーザの年齢、ユーザの性別、ユーザの結婚歴、ユーザの所得など。）。
【００３７】
本発明は、少なくとも３つのタイプの「一致（match）」、（１）実時間一致、（２）遅延一致、及び（３）編集一致を含む。実時間一致は、現在発生している電話呼関連イベントの複数の属性にしたがって識別される複数の広告を含む。例えば、ユーザが、発呼するなどの電話呼関連イベントを実行している一方で、システムは、特定の電話呼関連イベントの複数の属性に対応する広告を求めてデータベースを検索してもよい。簡単な例では、車の販売代理店が、新しい車の市場にいる顧客に広告を表示することを望んでいるかもしれない。販売代理店は、１つのカテゴリ、例えば「カテゴリ１＝ダイアルされた電話番号に関連したビジネスのタイプ」を選択し、かつ顧客が車の販売代理店にダイアルしていなければならないことと明記するかもしれない。この例では、図２に示すように、顧客が電話番号をダイアルする２１０。電話番号は、逆引き電話帳に対して問い合わせられてもよく２２０、かつ／又は標準産業コード電話帳と比較されてもよい。例えば、ダイアルされた番号が車の販売代理店の番号である場合２３０、電話呼関連イベントは、広告の基準を満たす２４０。広告は、識別され、かつ顧客への即時の表示が可能なように、電話呼関連イベントの複数の属性を決定する１つ又はそれ以上のパラメータに対応する第１の広告のグループに入れられるであろう２５０。
【００３８】
実時間一致を要求する広告主は、広告主の広告をさらに向ける人口学的な情報などの追加のカテゴリを含んでもよい。例えば、高級車の販売代理店は、顧客が新しい車の市場にいるときに、より特定の聴衆に広告を表示することを望んでいるかもしれない。販売代理店は、例えば、「カテゴリ１＝ダイアルされた電話番号に関連したビジネスのタイプ」を選択し、かつ顧客が車の販売代理店にダイアルしていなければならないことと明記し、「カテゴリ２＝クライアント識別子の市町村」を選択し、市町村がワシントンＤＣでなければならないことと明記し、「カテゴリ３＝所得」を選択し、かつ顧客に関連した所得が１００，０００ドル以上でなければならないことと明記し、「カテゴリ４＝顧客の年齢」を選択し、顧客が３０歳以上でなければならないことと明記するなど、複数のカテゴリを選択してもよい。これらのカテゴリのそれぞれに該当する発呼イベントが発生するとき、上述した高級車の販売代理店などのこのような基準を明記する広告は、識別され、かつ顧客への即時の表示が可能なように、電話呼関連イベントの複数の属性を決定する１つ又はそれ以上のパラメータに対応する第１の広告のグループに入れられるであろう。
【００３９】
別の例では、高級車の販売代理店は、特定の時間枠の間だけ、特定の目標の聴衆に広告を表示することを望んでいるかもしれない。例えば、車の販売代理店が１日限りの特別販売を開催する場合、販売代理店は、例えば、その販売の前の１週間の間のみ、広告することを望んでいるかもしれない。この場合、広告主は、上記のカテゴリにカテゴリを追加して、広告が表示されることが可能な特定の日を指定することができる。
【００４０】
次の一致のカテゴリは、遅延一致を含む。遅延一致は、広告が電話呼関連イベントが発生しているときに表示されないことを除いて、実時間一致と類似している。例えば、図３に示したように、上述した車の販売代理店が新しい車の市場にいる顧客に広告を表示することを望んでいるかもしれず、そこで、簡単な例では、販売代理店は、１つのカテゴリ、例えば「カテゴリ１＝ダイアルされた電話番号に関連したビジネスのタイプ」を選択し、かつ顧客が車の販売代理店にダイアルしていなければならないことと明記するかもしれない。上述した例と同様に、顧客が電話番号をダイアルする３１０。電話番号は、逆引き電話帳に対して問い合わせられ３２０、かつ／又は標準産業コード電話帳と比較される。例えば、ダイアルされた番号が車の販売代理店の番号である場合３３０、電話呼関連イベントは、車の販売代理店の基準を満たす３４０。しかしながら、この場合、広告主は、識別され、かつ即時にではなく後で顧客への表示が可能なように、第１の広告のグループに入れられる３５０。広告主は、広告が表示される前にどれくらいの時間が経過するべきかを指定してもよく、又は広告は、広告主によって指定された期間、又はシステムによって決定された期間のいずれかの範囲内で、任意の時刻に表示されてもよい。
【００４１】
遅延一致を要求する広告主はまた、広告主の広告をさらに向ける人口学的な情報などの追加のカテゴリを含んでもよい。例えば、上述した高級車の販売代理店は、例えば、「カテゴリ１＝ダイアルされている電話番号に関連したビジネスのタイプ」を選択し、かつ顧客が車の販売代理店にダイアルしていなければならないことと明記し、「カテゴリ２＝クライアント識別子の市町村」を選択し、市町村がワシントンＤＣでなければならないことと明記し、「カテゴリ３＝所得」を選択し、かつ顧客に関連した所得が１００，０００ドル以上でなければならないことと明記し、「カテゴリ４＝顧客の年齢」を選択し、顧客が３０歳以上でなければならないことと明記するなど、複数のカテゴリを選択してもよい。これらのカテゴリのそれぞれに該当する発呼イベントが発生するとき、上述した高級車の販売代理店などのこのような基準を明記する広告は、識別され、かつ近い将来のいつかに表示されるであろう。
【００４２】
実時間一致を利用している広告主と同様に、遅延一致を利用している広告主は、特定の時間枠の間だけ、特定の目標の聴衆に広告を表示することを望んでいるかもしれない。例えば、車の販売代理店が１日限りの特別販売を開催する場合、販売代理店は、例えば、その販売の前の１週間の間のみ、広告することを望んでいるかもしれない。この場合、広告主は、上記のカテゴリにカテゴリを追加して、広告が表示されることが可能な特定の日を指定することができる。
【００４３】
第３の一致のカテゴリは、編集一致を含む。編集一致は、１つ又はそれ以上の電話呼関連イベントの基準に対応する複数の広告が、１つの特定の電話呼関連イベントの基準に必ずしも一致しないことを除いて、あらゆる点で実時間一致及び遅延一致と類似する。代わりに、編集一致では、広告に関連した広告主によって選択された複数のカテゴリが、顧客の発呼パターンに向けられてもよい。例えば、家族の親睦会のための高級海外旅行を専門とする旅行代理店は、ほとんどの呼を午後７時から午後１１時の間に発呼する人々は雇用されておりかつ１日中働いていると仮定して、これらの人々に広告することに興味があるかもしれない。さらに、旅行代理店は、多数の国際電話をかけ、かつ住宅の電話番号に国際電話をかける個人に広告することに興味があるかもしれない。この例では、図４に示すように、カテゴリは、例えば、「カテゴリ１＝顧客は呼の９０％以上を午後７時から午後１１時の間に発呼する」４１０、「カテゴリ２＝顧客は呼の１０％以上を海外の宛先に発呼する」４２０、「カテゴリ３＝顧客は国際電話の９０％以上を住宅の電話番号に発呼する」４３０であってもよい。
【００４４】
電話呼関連イベントの編集がこれらの基準を満たすとき、このような基準を指定する広告は、識別され、かつ顧客への表示が可能なように、電話呼関連イベントの複数の属性を決定する１つ又はそれ以上のパラメータに対応する第１の広告のグループに入れられるであろう４４０。これは「実時間の」検索ではないので、広告は、特定の電話呼関連イベントと同時に出現する必要はない。一実施形態では、電話呼関連イベントに関連した１つ又はそれ以上の広告は、電話呼関連イベントが発生していても発生していなくても、任意の時刻に出現してもよい。別の実施形態では、広告主は、広告が出現するときを限定する追加のカテゴリを追加してもよい。例えば、広告主は、任意の電話呼関連イベントが発生していなければならないことを要求するカテゴリを追加してもよい。この場合、広告は、（その特定の呼のコンテンツがこの特定の広告に関連がないにもかかわらず）顧客が発呼している、又は電話番号を入力している、又は電話呼関連イベントとして資格を得ているいくつかの別の行動を実行している間にのみ表示されるであろう。代替として、広告は、例えば、電話呼関連イベントが、広告が表示されるときに発生していても発生していなくても、午後７時から午後１１時の間に、週末にのみ、又は特定の日にのみ表示されるべきであることを指定してもよい。
【００４５】
編集一致はまた、人口学的な情報のための複数のカテゴリを含んでもよい。例えば、上述した高級旅行代理店は、広告を受信するべき顧客の特定の所得層又は年齢層を定義するカテゴリを含んでもよい。
【００４６】
広告主が２つ又はそれ以上のタイプの検索の組み合わせを選択する場合があってもよい。例えば、広告主が、１つ又はそれ以上のカテゴリについて編集一致を要求し、かつ特定の呼関連イベントについて実時間一致を要求してもよい。代替として、広告主が、１つ又はそれ以上のカテゴリについて編集一致を要求し、かつ特定の呼関連イベントについて遅延一致を要求してもよい。例えば、上述した高級旅行代理店が、編集一致（すなわち、顧客は月ごとに少なくとも５回の電話をヨーロッパにかけ、呼の９５％以上が午後７時から午後１１時の間であり、かつ顧客は年ごとに１００，０００ドル以上を稼ぐこと）を要求し、かつ例えば、顧客が旅行代理店に発呼していること（実時間一致の場合）、又は顧客が過去２４時間以内に旅行代理店に発呼したこと（遅延一致の場合）を要求してもよい。
【００４７】
上述した任意のタイプの一致、又はそれらの組み合わせを用いて、広告の選択は、１つ又はそれ以上の電話呼関連イベントに基づいてもよいが、特定の広告が表示される頻度、及び特定の広告が表示されるタイミングは、変化してもよい（もちろん、一致のタイプが実時間一致でない場合である。この場合、広告はトリガする電話呼関連イベントの時刻に表示されるであろう。）。例えば、特定の広告主は、特定の広告をそれぞれの顧客に１日に１回しか表示しないことのみを望んでもよい。別の広告主は、特定の広告をそれぞれの顧客に毎時間１回しか表示しないことを望んでもよい。別の広告主は、特定の広告をそれぞれの顧客に合計１回しか表示しないことを望んでもよい。さらに別の広告主は、特定の広告をそれぞれの顧客にできるだけ頻繁に表示することを望んでもよい。
【００４８】
広告の数、又は広告が表示される頻度はまた、変化してもよい。システムは、例えばＶｏＩＰサービスのプロバイダなどの発明されたシステムを操作するエンティティが選択する任意の間隔で新しい広告を表示するように設定されてもよい。例えば、一実施形態では、システムは、いつも新しい広告を表示するように設定されてもよい。もう１つの実施形態では、システムは、３０秒ごとに新しい広告を表示するように設定されてもよい。もう１つの実施形態では、システムは、１５分ごとに新しい広告を表示するように設定されてもよい。もう１つの実施形態では、新しい広告が表示される間隔は、例えば広告主の要求に基づいて変化してもよい。例えば、システムは、ある広告（例えば、広告主が好みの広告主である場合、又はこのサービスに対してより多く支払っている場合）が別の広告よりもより長い期間、スクリーンに残ることを可能にするように設定されてもよく、それによって、次の広告が表示される前に、時間の量を増加させる。さらに、複数の広告が、スクリーンに連続して表示されてもよく、又は広告の間に一定の長さ又は変化する長さの中断が存在してもよい。
【００４９】
第２の広告のグループを検索するステップでは、第２の広告のグループは、第１の広告のグループと同一であってもよく、又はより少ない広告を有してもよい。一実施形態では、検索にしたがって選択されたすべての広告が検索されるので、第２の広告のグループは、常に第１の広告のグループと同一であろう。もう１つの実施形態では、第１のグループからいくつかの広告のみが検索されるので、第２の広告のグループはより小さいことがある。
【００５０】
同様に、第３の広告のグループを遠隔装置に送信するステップでは、第３の広告のグループは、第２の広告のグループと同一であってもよく、又はより少ない広告を有してもよい。一実施形態では、検索にしたがって検索されたすべての広告が遠隔装置に送信されるので、第３の広告のグループは、常に第１の広告のグループと同一であろう。もう１つの実施形態では、第２のグループからのいくつかの広告のみが遠隔装置に送信されるので、第３の広告のグループはより小さいことがある。
【００５１】
本発明が実施される様々な方法が存在し、それらは当業者には明らかであろう。以下は、本発明の範囲を制限することを意味しない例示的な実施例である。
【００５２】
上述したように、本発明は、１つ又はそれ以上のカテゴリを含む。これらのカテゴリは、事前定義される、又は広告主によって選択される、又は両方の組み合わせであってもよい。カテゴリのサンプル表が図５に示される。それぞれのカテゴリは、同様に、図６に示すように、カテゴリを決定する１つ又はそれ以上のパラメータを有しもよい。簡単な実施例では、カテゴリを決定するパラメータは、簡単な「ＹＥＳ」又は「ＮＯ」の回答を有してもよく、かつパラメータの１つの「ＹＥＳ」は、カテゴリに「ＹＥＳ」を与える。例として、図７（ａ）に示したように、本発明は、「発呼先の市外局番」と定義されたカテゴリ（「カテゴリ１」）７１０を含んでもよい。簡単な実施形態では、ただ１つのパラメータ、例えばパラメータ１＝２０２  ７２０が存在してもよい。図７（ｂ）に示したように、広告主が広告を２０２の市外局番に発呼している顧客に向けることを望む場合、電話呼関連イベントが発生するとき７３０、カテゴリ１のパラメータ１の問い合わせが行われ７４０、かつシステムは、ＹＥＳ７５０、又はＮＯ７６０の応答を受信するであろう。例えば、顧客が任意の別の市外局番に発呼している場合、システムはＮＯの応答を返し７６０、かつカテゴリ１は、同様に、ＮＯと分類されるであろう７７０。顧客が２０２の市外局番を有する番号に発呼している場合、システムはＹＥＳの応答を受信し７５０、かつカテゴリ１は、同様に、ＹＥＳと分類されるであろう７８０。カテゴリ１が、ユーザによって明記された唯一のカテゴリである場合、広告は、第１の広告のグループに入れられるであろう７９０。
【００５３】
別の例では、図８（ａ）に示したように、「性別」と定義された第２のカテゴリ（「カテゴリ２」）８１０が明記されてもよい。広告主が自分の広告を男性に向けることを望む場合、カテゴリ２は、カテゴリを決定する１つのパラメータ、例えばパラメータ１＝男性８２０を有してもよい。図８（ｂ）に示したように、カテゴリ２のパラメータ１が問い合わせられるとき８３０、回答が（ターゲットが男性であることを示す）ＹＥＳである場合８４０、カテゴリ２は、ＹＥＳの応答を受信する資格を得るであろう８５０。一方、回答が（ターゲットが男性ではないことを示す）ＮＯである場合８６０、カテゴリ２は、ＮＯの応答を受信する資格を得るであろう８７０。広告主がさらに、広告を２０２の市外局番にダイアルしている男性に向けることを望む場合、システムはまた、カテゴリ１のパラメータを問い合わせるであろう７４０。カテゴリ１がまた、ＹＥＳを返す場合７５０、（これらの２つのカテゴリのみが明記されていると仮定すると）広告は、第１の広告のグループに入れられる資格を得るであろう８８０。
【００５４】
さらに別の例では、第３のカテゴリが広告主によって明記されてもよい。この例では、図９（ａ）に示したように、第３のカテゴリ（「カテゴリ３」）は、「発呼者の都市」と呼ばれてもよい９１０。カテゴリ３は、例えば、パラメータ１＝フェニックス、アリゾナ州９２０、パラメータ２＝テンペ、アリゾナ州９２１、パラメータ３＝スコッツデール、アリゾナ州９２２、及びパラメータ４＝メーサ、アリゾナ州９２３である複数のパラメータを有してもよい。広告主は、これらのアリゾナ州の都市のいずれかに居住している人々を目標とすることを望んでもよい。この場合、図９（ｂ）に示したように、カテゴリ３のそれぞれのパラメータが問い合わせられ、かつ回答がＹＥＳの場合、カテゴリ３はＹＥＳと指定され、残りのパラメータは問い合わせられないであろう。パラメータの問い合わせへの回答がＮＯの場合、次のパラメータが問い合わせられるであろう。例として、電話呼関連イベントが発生する９３０。発呼者の都市がアリゾナ州フェニックスであるかを尋ねるパラメータ１の問い合わせが実行される９４０。回答がＹＥＳの場合９４１、カテゴリ３はＹＥＳと指定され９４２、かつ残りのパラメータは問い合わせられないであろう。回答がＮＯの場合９４３、パラメータ２が問い合わせられる９５０。パラメータ２への回答がＹＥＳの場合９５１、カテゴリ３はＹＥＳとなり９５２、かつ残りのパラメータは問い合わせられないであろう。パラメータ２への回答がＮＯの場合９５３、パラメータ３が問い合わせられるであろう９６０。パラメータ３への回答がＹＥＳの場合９６１、カテゴリ３はＹＥＳとなり９６２、かつ残りのパラメータは問い合わせられないであろう。パラメータ３への回答がＮＯの場合９６３、パラメータ４が問い合わせられるであろう９７０。パラメータ４への回答がＹＥＳの場合９７１、カテゴリ３はＹＥＳとなるであろう９７２。パラメータ４への回答がＮＯの場合９７３、（これら以外のパラメータが存在しないと仮定すると）カテゴリ３はＮＯと指定される。言い換えると、カテゴリがＹＥＳと指定されるためには、ただ１つのパラメータがＹＥＳと回答されることが必要である。最後のパラメータ（この場合、パラメータ４）が問い合わせられた後、すべてのパラメータがＮＯと回答される場合、カテゴリ（この場合、カテゴリ３）はまた、ＮＯと指定されるであろう。
【００５５】
例示的な実施形態では、広告は、広告に関連した等式を有して、第１の広告のグループに入れられる資格を得るかを決定してもよい。簡単な例では、図１０に示されたように、等式は、「カテゴリ１＝ＹＥＳの場合、広告は資格を得る」１０１０であってもよい。上述した例を用いると、番号が２０２の市外局番を伴ってダイアルされている場合、広告は資格を得て、かつグループ１に入れられるであろう。これは、以下のようにして達成される。カテゴリ１＝ＹＥＳであるか（すなわち、２０２の市外局番に発呼されているか）を尋ねる問い合わせが実行される１０２０。回答がＹＥＳの場合１０２５、カテゴリ１はＹＥＳとなり１０３０、かつ広告は資格を得る１０３５。回答がＮＯの場合１０４０、カテゴリ１はＮＯとなり１０４５、かつ広告は資格を得ない１０５０。
【００５６】
もう１つの例示的な実施形態では、図１１に示したように、等式は例えば、カテゴリ１＝ＹＥＳかつカテゴリ２＝ＹＥＳの場合、広告は資格を得る１１１０であってもよい。再び上述した例を用いると、男性によって２０２の市外局番に発呼されている場合、広告は資格を得て、かつグループ１に入れられるであろう。これは、以下のようにして達成される。図１０にしたがって問い合わせが実行される。「カテゴリ１＝ＹＥＳであるか？」１０２０への回答がＹＥＳである場合１０２５、カテゴリ２＝ＹＥＳであるかを尋ねる（すなわち、男性によって発呼されているかを尋ねる）追加の問い合わせが実行される１１２０。回答がＮＯの場合１１２５、カテゴリ２＝ＮＯであり１１３０、かつ広告は資格を得ない１１３５。回答がＹＥＳの場合１１４０、カテゴリ２＝ＹＥＳであり１１４５、かつ広告は資格を得る１１５０。
【００５７】
さらに別の例示的な実施形態では、図１２に示したように、等式は、カテゴリ１＝ＹＥＳかつカテゴリ２＝ＹＥＳかつカテゴリ３＝ＹＥＳの場合、広告は資格を得る１２１０であってもよい。再び上述した例を用いると、カテゴリ３の複数のパラメータで定義された都市の１つから、男性によって２０２の市外局番に発呼されている場合、広告は資格を得て、かつグループ１に入れられるであろう。これは、以下のようにして達成される。図１１にしたがって問い合わせが実行される。「カテゴリ２＝ＹＥＳであるか？」１１２０への回答がＹＥＳである場合１１４０、カテゴリ３＝ＹＥＳであるか（すなわち、明記された都市から発呼されているか）を尋ねる追加の問い合わせが実行される１２２０。回答がＮＯの場合１２２５、カテゴリ３＝ＮＯであり１２３０、かつ広告は資格を得ない１２３５。回答がＹＥＳの場合１２４０、カテゴリ３＝ＹＥＳであり１２４５、かつ広告は資格を得る１２５０。
【００５８】
代替として、広告に関連した等式は、すべての明記した複数のカテゴリを単に要求することよりもより具体的であってもよい。例えば、図１３に示したように、広告主が、カテゴリ３の複数のパラメータで定義された都市の１つから発呼している男性、又は２０２の市外局番を有する番号に発呼している男性のいずれか一方を望む場合、等式は、（カテゴリ１＝ＹＥＳ又はカテゴリ３＝ＹＥＳ）かつカテゴリ２＝ＹＥＳの場合、広告は資格を得る１３１０となってもよい。同様に、図１４に示したように、広告は、複数のカテゴリのうちのちょうど１つが満たされることを要求してもよく、かつ等式は、カテゴリ１＝ＹＥＳ又はカテゴリ２＝ＹＥＳ又はカテゴリ３＝ＹＥＳの場合、広告は資格を得る１４１０となってもよい。
【００５９】
任意の場合、どのような等式が使用されても、基準が満たされる場合、広告は資格を得て、かつ第１の広告のグループの一部として検索される。
【００６０】
どの広告が第２の広告のグループ、又は第３の広告のグループの一部になるかを決定するとき、広告はフィルタリング処理を経験する。一実施形態では、フィルタリング処理は、検索ステップで発生する。代替の実施形態では、フィルタリング処理は、送信ステップで発生する。さらに別の実施形態では、フィルタリング処理は、検索ステップ及び送信ステップの両方で発生する。フィルタリングは、広告のグループが、特定の時刻に、又は特定の時間枠内で、又は重複する複数の時間枠内で表示される基準をそれぞれ満たす複数の広告を含む場合に、必要であることがある。フィルタリング処理は、当業者に既知の多数の方法で実行されることができる。
【００６１】
一例示的な実施形態では、すべての広告に取り付けられ、特定の広告に関連した「値」を決定する１つ又はそれ以上の「タグ」が存在してもよい。好ましい実施形態では、値は、広告に関連した広告主が自分の広告を表示させるためにどれくらい支払うかに関連してもよい。もう１つの実施形態では、追加のカテゴリは、広告主によって購入された広告の量に関連してもよい。もう１つの実施形態では、追加のカテゴリは、広告主がサービスを用いて広告している時間の量に関連してもよい。
【００６２】
例として、図１５に示したように、タグは、１００きざみで１００から１０００まで番号を付けられてもよい。タグは、広告主が自分の広告を見せるために支払う金額を表してもよい。一実施形態では、例えば、表示ごとに０．０１ドルかかる広告は、タグの値１００を与えられてもよく、表示ごとに０．１０ドルかかる広告は、タグの値２００を与えられてもよく、表示ごとに０．５０ドルかかる広告は、タグの値３００を与えられてもよく、表示ごとに０．７５ドルかかる広告は、タグの値４００を与えられてもよく、表示ごとに１．００ドルかかる広告は、タグの値５００を与えられてもよく、表示ごとに１．５０ドルかかる広告は、タグの値６００を与えられてもよく、表示ごとに２．００ドルかかる広告は、タグの値７００を与えられてもよく、表示ごとに５．００ドルかかる広告は、タグの値８００を与えられてもよく、表示ごとに１０．００ドルかかる広告は、タグの値９００を与えられてもよく、かつ表示ごとに１５．００ドルかかる広告は、タグの値１０００を与えられてもよい。
【００６３】
１つより多い広告が、特定の時刻に表示されるのに適しているイベントでは、タグがグループのどの広告が表示されるかを決定するように使用されてもよい（すなわち、最高の値を有するタグに関連した広告が表示されるであろう。）。
【００６４】
タグの値は、管理者によって変更されてもよい。例えば、上述した例を用いると、表示ごとに１．００ドルを支払う広告主は、広告が表示されるごとに広告主が支払う金額に基づいて、タグの値５００を与えられてもよい。しかしながら、管理者が、特定の広告が表示される確率を増加させることを望んだ場合、その広告に関連したタグの数値が増加させられてもよく、この場合、例えば５５０に増加させられる。
【００６５】
資格を得たどの広告が表示されるべきかを決定するために、一実施形態では、システムはまた、特定の期間のために購入された広告の数を考慮してもよい。例えば、一実施形態では、広告は、「ロット（lot）」によって事前に購入されてもよく、かつどの広告が特定の期間内で最も多くの回数表示されるべきかを決定することによって、フィルタリングが少なくとも部分的に達成されてもよい。簡単な一例では、ある広告主は、自分の広告が１ヶ月のうちに１０００回表示されることを要求してもよく、かつ別の広告主は、自分の広告が１ヶ月のうちに５０００回表示されることを要求してもよい。一実施形態では、月の初めに、これらの広告の両方が同じグループに入っている場合、５０００回の表示を購入した広告主の広告は、その広告主がその月のために残っている最も多い広告（５０００回）を有しているので、表示されるであろう。同様に、広告のグループが月の途中で複数の広告を含む場合、その月に残っている最も多い表示回数を有する広告主が表示されるであろう。
【００６６】
代替の実施形態では、別の追加の基準が、広告のグループ中からどの広告が選択されるかを決定するように使用されてもよい。例えば、特定の広告が、多数のカテゴリを有する場合、又は非常に狭く定義されたカテゴリを有する場合、その広告は、より少ない残りの表示回数を有していても、より少ないカテゴリ又はより広く定義されたカテゴリを有する広告よりも選択されてもよい。例えば、広告のグループが以下のカテゴリ（１）ダイアルされている電話番号に関連したビジネスのタイプ＝宝石商、（２）年齢＝３０乃至４０、（３）性別＝男性、（４）所得＞＝２００，０００ドル、（５）結婚歴＝独身、（６）都市＝ワシントンＤＣ、（７）９０％以上の呼＝午後７時から午後１１時、（６）３回以上の呼＝宝石商に関連したある広告を含み、かつ同一の広告のグループが以下のカテゴリ（１）都市＝ワシントンＤＣ、（２）年齢＝１８乃至４０に関連した別の広告を含む場合、前者に関連した基準が、非常に具体的であるので、その広告が後者の基準と同じ頻度で電話呼関連イベントに一致する可能性が低いことから、前者の広告主の広告が、後者の広告主の広告が特定の期間のために残っているより多い表示回数を有しても、表示されてもよい。
【００６７】
より多い表示回数を有する広告よりも、より少ない表示回数を残している広告が選択されることをもたらす別の基準は、例えば、表示を１日のある時間帯に限定すること、表示を少数の特定の日のみに限定すること、又はある期間ごとの特定の広告を表示する回数を制限すること（１時間ごとに１回、又は１日ごとに５回など。）であってもよい。例えば、特定の広告が、午前７時から午前９時の間にのみ表示されることができる場合、その広告は、（別の広告が、同様の時間限定、又は別の限定的な基準を有しないと仮定すると、）より多い表示回数を残しているもう１つの広告がまた資格を得たとしても、その時間の間に選択されてもよい。
【００６８】
図１６は、１つ又はそれ以上の個別広告を表示するための処理を示す。一実施形態では、処理は、クライアント装置の観点からのものである。クライアント装置は、単独で又は別の装置と組み合わせて、ソフトフォンのソフトウェアを記憶しかつ実行することができる任意の装置であってもよい。可能なクライアント装置の例は、ＵＳＢ装置、ＤＥＣＴ電話機、携帯電話機、及びコンピュータを含む。好ましい実施形態では、クライアント装置は、ＵＳＢ装置である。一実施形態では、クライアント装置は、コンピュータであってもよい第１のプロセッサベースの装置を備えてもよい。もう１つの実施形態では、クライアント装置は、第１のプロセッサベースの装置に接続されてもよい。
【００６９】
処理は、クライアント識別子をサーバに伝送することを含む１６１０。クライアント識別子は、特定の顧客又はクライアント装置を識別する任意の情報、例えば、顧客識別子、クライアント装置のシリアルナンバー、顧客の電話番号、インターネットプロトコルアドレス、又は媒体アクセス制御装置であってもよい。パスワードがまた、唯一のクライアント識別子に関連してもよい。好ましい実施形態では、唯一のクライアント識別子は、パスワードに結びつけられても、結びつけられなくてもよいクライアント装置のシリアルナンバーである。
【００７０】
クライアント装置は、パケット交換ネットワークなどの少なくとも１つの通信ネットワーク又はデータネットワークを介して、サーバに接続されてもよい。好ましい実施形態では、クライアント装置とサーバとの間の通信は、ＨＴＴＰによるものであり、かつＴＣＰ／ＩＰプロトコルを用いて実装される。
【００７１】
一実施形態では、サーバは、クライアント識別子に対応するロケーション識別情報を提供するように適合されてもよい。顧客ロケーション識別情報は、特定の地理的なエリアを伴う特定の顧客又はクライアント装置に関連する任意の情報、例えば、インターネットプロトコルアドレス、郵便番号、州、市町村、ストリートアドレス、緯度座標及び経度座標、グローバルポジショニングシステム座標、又はある市場特性に基づいてエリアを定める情報であってもよい。ロケーション識別情報は、クライアント装置の現在のロケーション、又はクライアント装置の登録に関連したロケーションの情報であってもよい。クライアント識別子に対応するロケーション識別情報を提供する地理的なデータプログラムは、当業者には既知であり、容易に利用可能である。容易に利用可能なソフトウェアプログラムの例は、メリッサデータ社（Ｍｅｌｉｓｓａ  ＤＡＴＡ  Ｃｏｒｐ．）によるジオコーダオブジェクト（ＧｅｏＣｏｄｅｒ  Ｏｂｊｅｃｔ）を含む。ロケーション識別情報の追加のソースは、ｏｐｅｎｓｏｕｒｃｅｇｉｓ．ｏｒｇ（Ｏｐｅｎ  Ｓｏｕｒｃｅ  ＧＩＳ）、ｍａｘｍｉｎｄ．ｃｏｍ（ＧｅｏＩＰ  ＡＰＩ）、ｏｆｂ．ｎｅｔ／％７Ｅｅｇｎｏｒ／ｇｏｏｇｌｅ．ｈｔｍｌ（Ｇｅｏｃｏｄｅｒ）、及びｇｅｏｃｏｄｅｒ．ｕｓ（Ｇｅｏｃｏｄｅｒ．ｕｓ）で発見される。好ましい実施形態では、ロケーション識別情報は、顧客のロケーションに関連した緯度座標及び経度座標である。別の実施形態では、年齢、雇用状況、性別、所得、及び／又は結婚歴などの人口学的な情報がまた、唯一のクライアント識別子に関連してもよい。
【００７２】
処理は、クライアント識別子に関連した１つ又はそれ以上の電話呼関連イベントの複数の属性を決定する１つ又はそれ以上のパラメータに対応する少なくとも１つの広告を受信することによって継続する１６２０。
【００７３】
属性は、発呼元又は発呼先のロケーション、発呼者又は被呼者の市外局番、発呼者又は被呼者の市内局番又は電話局（phone number exchange）、発呼者又は被呼者の電話番号、発呼した又は着呼した時刻、発呼した又は着呼した日付、及び通話時間などの顧客に関する専属的ネットワーク情報（ＣＰＮＩ）を備えてもよい。属性はまた、本明細書で使用しているように、ＣＰＮＩと同様の情報である顧客に関する専属的ネットワーク情報等価データ（ＣＰＮＩ等価データ）を備えてもよいが、受信されるデータは、必ずしも遠隔通信会社からのものではなく、かつ必ずしも伝送されている電話呼にしたがって生成されたものでもない。
【００７４】
属性はまた、ダイアルする番号又はダイアルされた番号に関連した、ダイアルされたビジネスの１つのカテゴリ又は複数のカテゴリ、ダイアルされたビジネスの名前、郵便番号、市町村、ストリートアドレス、緯度座標及び経度座標、グローバルポジショニングシステム座標、又はある市場特性に基づいてエリアを定める情報などのＣＰＮＩ又はＣＰＮＩ等価データから推定されてもよい情報を備えてもよい。
【００７５】
属性はまた、発呼した及び／又は着呼した電話呼の平均の長さ、電話呼が発呼された及び／又は着呼された曜日及び／又は時刻、電話呼の発信元又は宛先、頻繁にダイアルされるビジネスのカテゴリ、又はＣＰＮＩ及び／又はＣＰＮＩ等価データを編集することから得られる任意の別の情報、及びこれらのデータからの推定などのデータの編集を含んでもよい。
【００７６】
電話呼関連イベントは、電話機を用いることに関連した任意のイベントであってもよい。好ましい実施形態では、電話呼関連イベントは、電話接続を確立することを備える。別の実施形態では、電話呼関連イベントは、電話番号を電話帳又は連絡先リストに入力すること、電話番号を電話装置に入力すること、又は電話接続の確立を見込んで電話番号を電話装置に入力することを含んでもよい。
【００７７】
別の実施形態では、人口学的な情報がまた、唯一のクライアント識別子に関連している場合、受信される複数の広告は、１つ又はそれ以上の電話呼関連イベントの複数の属性を決定する複数のパラメータに加えて、上記クライアント識別子に関連したこのような人口学的な情報に対応してもよい。
【００７８】
処理は、１つ又はそれ以上の個別広告を表示することによって継続する１６３０。１つ又はそれ以上の個別広告は、広告を表示することができる任意の装置に表示されてもよい。一実施形態では、１つ又はそれ以上の広告は、遠隔装置に表示される。一実施形態では、クライアント装置は、遠隔装置である。もう１つの実施形態では、遠隔装置は、クライアント装置を含む。もう１つの実施形態では、遠隔装置は、第２のプロセッサベースの装置を備える。もう１つの実施形態では、第３の広告のグループは、クライアント装置を介して、遠隔装置に送信される。もう１つの実施形態では、遠隔装置は、クライアント装置を備える。クライアント装置は、複数の広告の表示を表示することができる、又は促進することができる任意の装置、例えば、ＵＳＢ装置、ＤＥＣＴ電話機、携帯電話機、モニタを有するコンピュータ、及びテレビジョン又はビデオ画面に接続されたケーブルボックス又はサテライトボックスなどのセットトップボックスであってもよい。
【００７９】
図１７は、本発明のクライアント装置１７１０がその中で使用されてもよいネットワーク環境１７００を表す。図１７では、クライアント装置は、コンピュータである。ソフトフォンがクライアント装置で起動すると、クライアント装置は、インターネット１７３０及び／又はインターネットサーバ１７４０などのパケット交換ネットワークを含む通信ネットワーク又はデータネットワークを介して、唯一のクライアント識別子をトランザクションサーバ１７２０に送信する。
【００８０】
クライアント装置１７１０は、インターネットサーバ１７４０（オプション）及びネットワーク１７３０を介してトランザクションサーバ１７２０に接続し、かつクライアント装置１７１０によって受信される情報を伝送することをトランザクションサーバ１７２０に頼る。好ましい実施形態では、ソフトフォンを実施するクライアント装置１７１０と通信するために使用されるプロトコルは、ハイパーテキスト転送プロトコル（「ＨＴＴＰ」）である。ＨＴＴＰ命令は、データを複数のパケットに分割し、かつクライアント又はサーバである受信コンピュータでそれらを再結合する伝送制御プロトコル／インターネットプロトコル（ＴＣＰ／ＩＰ）を用いて、ネットワーク（例えば、インターネット１７３０）を介して送信される。
【００８１】
トランザクションサーバ１７２０は、唯一のクライアント識別子を利用して、データベースサーバ１７５０のデータベースに問い合わせる。一実施形態では、シリアルナンバーは、クライアントデータベース１７６０に対して問い合わせられる。クライアントデータベース１７６０のデータは、データベースサーバ１７５０に接続されたハードドライブ１７７０に存在してもよく、ハードドライブは、関連した１つ又はそれ以上のデータベース（例えば、クライアントデータベース１７６０及び／又は広告データベース１７８０）を有してもよい。代替として、データベースは、安価なディスクの冗長なアレイ（ＲＡＩＤ）構成で提供される複数のハードドライブを含む複数のハードドライブに記憶されてもよい。データベースは、リレーショナルデータベースであることが好ましい。クライアントデータベース１７６０は、ＣＰＮＩ、ＣＰＮＩ等価データ、及びクライアント識別子に関連した人口学的な情報などの複数の属性についての情報を保持する一方、広告データベース１７７０は、広告、及び広告主並びに広告に関係する情報を保持する。
【００８２】
トランザクションサーバ１７２０は、どの広告がクライアント装置１７１０に送信されるべきかを決定するための本明細書で述べられたアルゴリズムを実行し、かつクライアント情報及び広告に関係する情報に基づいて、データベースサーバ１７５０からその広告を検索することを協働させる。コンピュータコンソール１７９０は、管理者が、直接的に又は（図示したように）トランザクションサーバ１７２０を介して、トランザクションサーバ１７２０及び／又はデータベースサーバ１７５０と相互作用して、クライアントデータベース１７６０及び広告データベース１７８０の情報を追加、削除、及び／又は変更することができるように提供される。管理者は、広告主１７９５から電子的にネットワーク１７３０を介して、広告情報を受信してもよい。
【図１（ａ）】
2010531077.tif 000003
【図１（ｂ）】
2010531077.tif 000004
【図２】
2010531077.tif 000005
【図３】
2010531077.tif 000006
【図４】
2010531077.tif 000007
【図５】
2010531077.tif 000008
【図６】
2010531077.tif 000009
【図７（ａ）】
2010531077.tif 000010
【図７（ｂ）】
2010531077.tif 000011
【図８（ａ）】
2010531077.tif 000012
【図８（ｂ）】
2010531077.tif 000013
【図９（ａ）】
2010531077.tif 000014
【図９（ｂ）】
2010531077.tif 000015
【図１０】
2010531077.tif 000016
【図１１】
2010531077.tif 000017
【図１２】
2010531077.tif 000018
【図１３】
2010531077.tif 000019
【図１４】
2010531077.tif 000020
【図１５】
2010531077.tif 000021
【図１６】
2010531077.tif 000022
【図１７】
2010531077.tif 000023
【国際調査報告】
2010531077.tif 000024